(57)【要約】      （修正有）【課題】接続フレームがノイズの影響を受けやすい環境下であっても接続フレームを受信側装置に適切に受信させる。【解決手段】データ受信装置に送信するフレームを変調する変調部と、変調されたフレームをデータ受信部に送信する送信部を備え、コンテンツ情報を含んだデータフレームをデータ受信装置に送信する前に、データフレームの伝送条件を示す接続フレームをデータ受信装置に送信するデータ送信装置であって、接続フレームとして、変調方式および通信速度のうちの少なくとも一方が互いに異なる複数の接続フレームを送信する。【選択図】図１
2008301472.tif 000002
【特許請求の範囲】
【請求項１】
データ受信装置に送信するフレームを変調する変調部と、変調されたフレームをデータ受信装置に送信する送信部とを備え、コンテンツ情報を含んだデータフレームをデータ受信装置に送信する前に、当該データフレームの伝送条件を示す接続フレームをデータ受信装置に送信するデータ送信装置であって、
上記接続フレームとして、変調方式および通信速度のうちの少なくとも一方が互いに異なる複数の接続フレームを送信することを特徴とするデータ送信装置。
【請求項２】
上記複数の接続フレームには、所定期間中にパルスが存在するか否かによってデータの値を示す変調方式の接続フレームと、所定期間中に存在するパルスの時間軸上の位置によって当該接続フレームに含まれる値を示す変調方式、またはデータビットの値が一定回数以上連続して同じ値にならないように変調する変調方式の接続フレームとが含まれていることを特徴とする請求項１に記載のデータ送信装置。
【請求項３】
上記複数の接続フレームには、ＲＺＩ変調方式の接続フレームと、４ＰＰＭ変調方式、ＨＨＨ（１，１３）変調方式、および８Ｂ１０Ｂ変調方式のうちのいずれかの変調方式の接続フレームとが含まれていることを特徴とする請求項２に記載のデータ送信装置。
【請求項４】
上記複数の接続フレームには、ＲＺＩ変調方式かつ通信速度９６００ｂｐｓの接続フレームと、ＲＺＩ変調方式かつ通信速度が９６００ｂｐｓよりも速い接続フレームとが含まれていることを特徴とする請求項１に記載のデータ送信装置。
【請求項５】
データ受信装置に送信するフレームを変調する変調部と、変調されたフレームをデータ受信装置に送信する送信部とを備え、コンテンツ情報を含んだデータフレームをデータ受信装置に送信する前に、当該データフレームの伝送条件を示す接続フレームをデータ受信装置に送信するデータ送信装置であって、
上記接続フレームとして、所定期間中に存在するパルスの時間軸上の位置によって当該接続フレームに含まれる値を示す変調方式の接続フレーム、またはデータビットの値が一定回数以上連続して同じ値にならないように変調する変調方式の接続フレームを送信することを特徴とするデータ送信装置。
【請求項６】
上記接続フレームとして、４ＰＰＭ変調方式、ＨＨＨ（１，１３）変調方式、および８Ｂ１０Ｂ変調方式のうちのいずれかの変調方式の接続フレームを送信することを特徴とする請求項５に記載のデータ送信装置。
【請求項７】
上記接続フレームの通信速度は、ＩｒＤＡのＦＩＲの通信速度であり、
上記データフレームの通信速度は、ＩｒＤＡのＦＩＲの通信速度またはＩｒＤＡのＶＦＩＲの通信速度であることを特徴とする請求項５に記載のデータ送信装置。
【請求項８】
上記接続フレームを、赤外線を伝送媒体として送信することを特徴とする請求項１または５に記載のデータ送信装置。
【請求項９】
上記接続フレームのフレームフォーマットは、ＩｒＤＡのＳＮＲＭフレームフォーマットであることを特徴とする請求項８に記載のデータ送信装置。
【請求項１０】
コンテンツ情報を含んだデータフレームをデータ送信装置からデータ受信装置に送信する前に、当該データフレームの伝送条件を示す接続フレームをデータ送信装置からデータ受信装置に送信するデータ送信方法であって、
上記接続フレームとして、変調方式および通信速度のうちの少なくとも一方が互いに異なる複数の接続フレームを送信する接続送信工程を含むことを特徴とするデータ送信方法。
【請求項１１】
コンテンツ情報を含んだデータフレームをデータ送信装置からデータ受信装置に送信する前に、当該データフレームの伝送条件を示す接続フレームをデータ送信装置からデータ受信装置に送信するデータ送信方法であって、
上記接続フレームとして、所定期間中に存在するパルスの時間軸上の位置によって当該接続フレームに含まれる値を示す変調方式の接続フレーム、またはデータビットの値が一定回数以上連続して同じ値にならないように変調する変調方式の接続フレームを送信する接続送信工程を含むことを特徴とするデータ送信方法。
【請求項１２】
データ受信装置に送信するフレームを変調する変調部と、変調されたフレームをデータ受信装置に送信する送信部とを備え、コンテンツ情報を含んだデータフレームをデータ受信装置に送信する前に、当該データフレームの伝送条件を示す接続フレームをデータ受信装置に送信するデータ送信装置と、上記接続フレームを受信し、受信した接続フレームに示されている伝送条件に基づいて上記データフレームの受信を行うデータ受信装置とを備えたデータ送受信システムであって、
上記データ送信装置は、上記接続フレームとして、変調方式および通信速度のうちの少なくとも一方が互いに異なる複数の接続フレームを送信することを特徴とするデータ送受信システム。
【請求項１３】
データ受信装置に送信するフレームを変調する変調部と、変調されたフレームをデータ受信装置に送信する送信部とを備え、コンテンツ情報を含んだデータフレームをデータ受信装置に送信する前に、当該データフレームの伝送条件を示す接続フレームをデータ受信装置に送信するデータ送信装置と、上記接続フレームを受信し、受信した接続フレームに示されている伝送条件に基づいて上記データフレームの受信を行うデータ受信装置とを備えたデータ送受信システムであって、
上記データ送信装置は、上記接続フレームとして、所定期間中に存在するパルスの時間軸上の位置によって当該接続フレームに含まれる値を示す変調方式の接続フレーム、またはデータビットの値が一定回数以上連続して同じ値にならないように変調する変調方式の接続フレームを送信することを特徴とするデータ送受信システム。
【請求項１４】
請求項１０または請求項１１に記載のデータ送信方法を実現するためのプログラムであって、コンピュータに上記接続送信工程の処理を実行させるためのデータ送信プログラム。
【請求項１５】
請求項１４に記載のプログラムを記録したコンピュータ読み取り可能な記録媒体。
【請求項１６】
コンテンツ情報を含んだデータフレームを送信する前に当該データフレームの伝送条件を示す接続フレームを送信するデータ送信装置から送信された上記データフレームを受信するデータ受信装置であって、
上記データ送信装置は、上記データフレームを第１伝送条件で送信し、上記接続フレームを第１伝送条件とは変調方式および通信速度のうちの少なくとも一方が異なる第２伝送条件で送信するか、あるいは上記データフレームを第１伝送条件で送信し、上記接続フレームを上記第１伝送条件および上記第２伝送条件の両方で送信するものであり、
上記データ送信装置から送信されたフレームを受信する受信部と、
上記受信部が受信したフレームを復調する復調部とを備え、
接続フレームを受信する前の受信待機状態では、上記受信部が上記第１伝送条件で送信されたフレームを受信し、上記復調部が上記受信部の受信したフレームを上記第１伝送条件に基づいて復調するように設定されており、上記復調部によって復調されたフレームがデータフレームである場合に、当該データフレームに続けて送信されるデータフレームの受信および復調を上記第１伝送条件に基づいて行うことを特徴とするデータ受信装置。
【請求項１７】
上記復調部によって復調されたフレームが接続フレームであるかデータフレームであるかを検出するフレーム解析部と、
上記受信部の受信条件および上記復調部の復調条件を制御する受信制御部とを備え、
上記受信制御部は、
上記復調部によって復調されたフレームが接続フレームである場合には当該接続フレームに示されたデータフレームの伝送条件に基づいて当該接続フレームの後に送信されるデータフレームを受信して復調するように上記受信部および上記復調部を制御することを特徴とする請求項１６に記載のデータ受信装置。
【請求項１８】
上記受信部は、上記第１伝送条件で送信されたフレームのみを受信可能であり、
上記復調部が復調することのできるフレームは上記第１伝送条件で送信されたフレームのみであることを特徴とする請求項１６または１７に記載のデータ受信装置。
【請求項１９】
上記データ送信装置から送信されたフレームを受信する第２受信部と、上記第２受信部が受信したフレームを復調する第２復調部とを備え、
接続フレームを受信する前の受信待機状態では、上記第２受信部が上記第２伝送条件で送信されたフレームを受信し、上記第２復調部が上記第２受信部の受信したフレームを上記第２伝送条件に基づいて復調するように設定されており、
上記受信制御部は、
上記第２復調部によって復調されたフレームが接続フレームである場合に、当該接続フレームに示されたデータフレームの伝送条件に基づいて当該接続フレームの後に送信されるデータフレームを受信するように上記受信部または上記第２受信部を制御するとともに、上記受信部または上記第２受信部が受信したデータフレームを上記接続フレームに示されたデータフレームの伝送条件に基づいて復調するように上記復調部または上記第２復調部を制御することを特徴とする請求項１８に記載のデータ受信装置。
【請求項２０】
上記データフレームに基づく画像を表示する画像表示手段を備えていることを特徴とする請求項１６から１９のいずれか１項に記載のデータ受信装置。
【請求項２１】
上記第２伝送条件における変調方式はＲＺＩ変調方式であり、
上記第１伝送条件における変調方式は、４ＰＰＭ変調方式、ＨＨＨ（１、１３）変調方式、および８Ｂ１０Ｂ変調方式のうちのいずれかであることを特徴とする請求項１６から２０のいずれか１項に記載のデータ受信装置。
【請求項２２】
上記受信部は、上記データ送信装置から赤外線を伝送媒体として送信されたフレームを受信することを特徴とする請求項１６から２１のいずれか１項に記載のデータ受信装置。
【請求項２３】
コンテンツ情報を含んだデータフレームを送信する前に当該データフレームの伝送条件を示す接続フレームを送信するデータ送信装置から送信された上記データフレームを受信するデータ受信方法であって、
上記データ送信装置は、上記データフレームを第１伝送条件で送信し、上記接続フレームを第１伝送条件とは変調方式および通信速度のうちの少なくとも一方が異なる第２伝送条件で送信するか、あるいは上記データフレームを第１伝送条件で送信し、上記接続フレームを上記第１伝送条件および上記第２伝送条件の両方で送信するものであり、
上記データ送信装置から送信されたフレームを受信する受信工程と、
上記受信部が受信したフレームを復調する復調工程とを含み、
接続フレームを受信する前の受信待機状態では、上記受信工程において上記第１伝送条件で送信されたフレームを受信し、上記復調部工程において上記受信工程で受信したフレームを上記第１伝送条件に基づいて復調するように設定しておき、上記復調工程によって復調されたフレームがデータフレームである場合に、当該データフレームに続けて送信されるデータフレームの受信および復調を上記第１伝送条件に基づいて行うことを特徴とするデータ受信方法。
【請求項２４】
コンテンツ情報を含んだデータフレームを送信する前に当該データフレームの伝送条件を示す接続フレームを送信するデータ送信装置と、上記データ送信装置から送信された上記データフレームを受信するデータ受信装置とを備えたデータ送受信システムであって、
上記データ送信装置は、上記データフレームを第１伝送条件で送信し、上記接続フレームを第１伝送条件とは変調方式および通信速度のうちの少なくとも一方が異なる第２伝送条件で送信するか、あるいは上記データフレームを第１伝送条件で送信し、上記接続フレームを上記第１伝送条件および上記第２伝送条件の両方で送信するものであり、
上記データ受信装置は、
上記データ送信装置から送信されたフレームを受信する受信部と、
上記受信部が受信したフレームを復調する復調部とを備え、
接続フレームを受信する前の受信待機状態では、上記受信部が上記第１伝送条件で送信されたフレームを受信し、上記復調部が上記受信部の受信したフレームを上記第１伝送条件に基づいて復調するように設定されており、上記復調部によって復調されたフレームがデータフレームである場合に、当該データフレームに続けて送信されるデータフレームの受信および復調を上記第１伝送条件に基づいて行うことを特徴とするデータ送受信システム。
【請求項２５】
請求項２３に記載のデータ受信方法を実現するためのプログラムであって、コンピュータに上記各工程の処理を実行させるためのデータ受信プログラム。
【請求項２６】
請求項２５に記載のプログラムを記録したコンピュータ読み取り可能な記録媒体。
【発明の詳細な説明】
【技術分野】
【０００１】
本発明は、データフレームの伝送に先立ってデータフレームの伝送条件を記述した接続フレームを送信するデータ送信装置、上記データ送信装置から送信されたデータを受信するデータ受信装置、および上記データ送信装置と上記データ受信装置とを備えたデータ送受信システムに関するものである。
【背景技術】
【０００２】
近年では、デジタルカメラ、デジタルカメラ機能を有するカメラ付き携帯電話等の普及に伴って、写真を画像データとして取り扱う機会が増えている。また、これに対応して、デジタルカメラや携帯電話などから取り込んだ画像データを表示するテレビ等の表示装置や、当該画像データを印刷するプリンタ等の画像形成装置などの機器も増えてきている。
【０００３】
一方、画像データのような容量の大きいデータを情報機器同士で送受信する機会が増えるのに伴って、無線通信によって容量の大きいデータを転送する技術も普及してきている。なお、無線通信技術の中でも、赤外線通信が特に普及している。これは、赤外線通信には下記の利点があるためである。
（１）電波のような法規制がなく、世界共通の通信方式を採用可能である点。
（２）送受信装置を小型、軽量、低コストで構成でき、また、低消費電力でデータの送受信が可能である点。
（３）光の直進性のため、不必要な情報漏洩や干渉等が少なく、空間利用効率が高い点。
【０００４】
赤外線通信の規格としては、例えば、業界団体であるＩｒＤＡ（Infrared Data Association）によって標準化されたＩｒＤＡ  Ｓｔａｎｄａｒｄ（ＩｒＤＡ規格）がある。ＩｒＤＡ規格は、いくつかのレイヤー（ハードウェア層、データリンク層、プロトコル層）規格に分かれている。また、ＩｒＤＡ規格は、携帯電話、携帯情報端末、ノートＰＣ、デジタルカメラ、プリンタ、電子腕時計等の機器間における、数メートルのＰＡＮ（Personal Area Network）の範囲内でのデータ転送に特に広く用いられている。
【０００５】
しかしながら、従来のＩｒＤＡ規格の通信方法では、通信相手の機器のサーチ、識別、ネゴシエーションといった、相互に通信ができることを確認するための作業を繰り返す双方向通信を行う。このため、上述の作業を繰り返す際の通信速度が比較的低速に規定されるという問題がある。また、上述の作業に伴う待ち時間によって通信処理に要する時間が増大するという問題点があった。
【０００６】
ところで、赤外線通信においては、利用者自身が送信側装置の発光部を受信側装置の受光部に向けた状態でデータの送信を行うことが多いので、通信先の装置をサーチする処理を必ずしも必要としない場合が多い。そこで、例えば特許文献１では、ＩｒＤＡ規格に従った通信とＩｒＤＡ規格に従わない通信とが切り替え可能とすることにより、赤外線通信において受信可能な機器をサーチする処理が必要ない場合に、データ通信の高速化を図っている。すなわち、特許文献１に開示のデータ送信装置は、IrDA Standardに従ってデータの送信を行う第１通信手段と、IrDA Standardに従わずにデータの送信を行う第２通信手段と、第１通信手段による処理と第２通信手段による処理とを切り替える切替手段とを備えており、第２通信手段から送信対象のデータを管理する管理情報を送信し、この管理情報の送信に応答した装置から該装置における通信能力を示した通信能力情報を受信し、受信した通信能力情報に基づいて送信対象のデータをパケット送信することにより、赤外線通信において受信可能な機器をサーチする処理を省略するようになっている。
【０００７】
なお、赤外線通信において受信可能な機器をサーチする処理を必ずしも必要としない場合にデータ通信の高速化を実現する技術としては、上記特許文献１の技術の他、例えば、IrSimpleと略称される通信規格（非特許文献１参照）やＩｒＳｉｍｐｌｅＳｈｏｔ（登録商標）またはＩｒＳＳ（登録商標）と略称される片方向通信モードを用いる通信方法が提案されている。
【０００８】
図１６は、従来のＩｒＳＳ片方向通信において送信される接続フレーム（ＳＮＲＭ（ＳＩＲ（９６００ｂｐｓ）−ＲＺＩ））およびデータフレーム（ＵＩ（ＦＩＲ（４Ｍｂｐｓ）−４ｐｐｍ））の送信タイミングを示す説明図である。この図に示すように、ＩｒＳＳを用いる赤外線通信では、低速なＳＩＲ（serial infrared）モード（９６００ｂｐｓ）の接続フレーム（通信情報通知フレーム）であるＳＮＲＭ（Set Normal Response Mode）フレームをＦＩＲ（fast infrared）モードのデータフレーム（ＵＩ（Unnumbered Information）フレーム）の送信に先駆けて送信する構成になっている。なお、ここでいう「フレーム」とは、通常の通信技術分野で用いられる「フレーム」を意味するものであり、始まりと終わりの定義された一塊の情報を意味している。また、「接続フレーム」とは、送信側装置と受信側装置とを通信可能に接続するのに必要な一連の情報をあらわしている。
【０００９】
また、赤外線通信と同様な性質を持つ可視光通信による通信も検討されており、特にＩｒＳＳと同様に片方向通信への適用が期待されている。
【特許文献１】特開２００５−３４７８３６号公報（平成１７年１２月１５日公開）
【非特許文献１】直江  仁志、外６名，「高速赤外線通信プロトコルＩｒＳｉｍｐｌｅの標準化」，シャープ技報９５号，２００７年２月，ｐ６３−６８
【発明の開示】
【発明が解決しようとする課題】
【００１０】
しかしながら、上記従来の技術では、例えば、冷陰極管を用いた液晶テレビ、プラズマテレビ、インバータタイプの蛍光灯などから放射される赤外線ノイズの影響により、受信側装置において接続フレームを正常に受信できず、接続フレームの送信後に送られるデータフレームを適切に受信できない場合がある。
【００１１】
図１７は、ＳＩＲモードの信号パターンを示す図である。この図に示すように、ＳＩＲモードで用いられるＲＺＩ（Return to Zero Inversion）変調方式では、所定期間中にパルスが存在するか否かによってデータビットの０と１とを表現する。例えば、接続フレームの送信に用いられるＳＩＲモード（９６００ｂｐｓ）では、データビットが０の場合には１０４μｓｅｃ程度の期間中に１．４１μｓｅｃ〜２２.１３μｓｅｃのパルスを挿入し、データビットが１の場合には１０４μｓｅｃ程度の期間中にパルスを挿入しないようになっている。
【００１２】
このため、例えばインバータタイプの蛍光灯が受信装置の近くにある場合など、数μｓｅｃ〜十数μｓｅｃ程度のパルス状の赤外線ノイズが多い環境では、ＳＩＲモードで受信される接続フレームにノイズ信号に埋もれてしまい、このノイズ信号がデータビットを示すパルスと誤認されるなどして接続フレームを正常に受信できなくなることがある。そして、その結果、受信装置側でＦＩＲモードでのデータフレーム受信に切り替えることができず、ＦＩＲモードで送信されたデータフレームの受信ができなくなってしまう。
【００１３】
また、冷陰極管を用いた液晶テレビ、プラズマテレビなどの、赤外線ノイズを放射する機器が受信装置であった場合にも、放射された赤外線が人体または周辺物に反射するなどして、上述した場合と同様、数μｓｅｃ〜十数μｓｅｃ程度のパルス状の赤外線ノイズによってＩｒＳＳを用いる赤外線通信が妨害されることが知られている。なお、ＩｒＳＳを用いる赤外線通信では、送信側端末をユーザが保持し、受信装置側の赤外線受信部に２０ｃｍ程度から１ｍ程度まで近接して操作するため、特に人体による反射で生じる赤外線ノイズの影響が顕著になる。また、この他にも、冷陰極管の温度が０℃〜１０℃程度以下の温度になると赤外線ノイズが増加する現象が知られている。このため、例えば、低温環境で液晶テレビの電源を投入した場合などに、冷陰極管温度が上昇して赤外線ノイズの影響が低下するまでに１０分程度の時間を要する場合がある。
【００１４】
また、受信側装置の受信回路にＡＧＣ（Auto Gain Control）が備えられている場合には、上記の赤外線ノイズが接続フレームの受信に与える影響が特に大きくなる。ＡＧＣは、強い受信信号に対しては利得を小さくし、弱い受信信号に対しては利得を大きくすることで、増幅後の信号レベルを一定に保つ機能を持つ。上述の赤外線ノイズは、人体または周辺物に反射したものであり、一般的に受信信号レベルは弱いものであるため、ＡＧＣは利得を大きくする方向に働く。このため、例えばＳＩＲモードの接続フレーム（９６００ｂｐｓ）の受信中における受信ビット間の無信号状態時には、ＡＧＣが利得を大きくするよう動作するので、接続フレームに埋もれている赤外線ノイズを受信信号（データビットを示すパルス）として誤認識してしまう可能性がある。
【００１５】
また、ＳＩＲモード・９６００ｂｐｓのフレームの場合、例えば、ＳＩＲモード・１１５．２ｋｂｐｓのフレームやＦＩＲモード・４Ｍｂｐｓのフレームと比べて、送信フレーム中の無信号状態が長い。このため、受信側装置において、ＡＧＣが赤外線ノイズの利得を大きくする方向に動作し、赤外線ノイズを受信信号として誤認識してしまう可能性がより高くなる。
【００１６】
また、上記特許文献１に開示されているデータ送信装置において、管理パケット（接続フレーム）の伝送と画像データ（データフレーム）の伝送とに異なる信号形式を用いた片方向の赤外線通信を利用する場合、上述したのと同様に、赤外線ノイズによってデータ受信が困難になる可能性がある。すなわち、ＩｒＳＳを用いる赤外線通信のように、接続フレームの伝送に用いる信号形式を、データフレーム伝送に用いる信号形式よりも赤外線ノイズの影響を受けやすい信号形式にした場合、赤外線ノイズによって接続フレームが正常に受信されず、データフレームの受信が困難になる場合が生じる。
【００１７】
今後開発される赤外線通信の技術においても、ＩｒＳＳと同様にＩｒＤＡ規格から派生した仕様が定められる可能性が高く、同様な性質を持つことが予想される。また、変調方式が同じであっても誤り訂正符号、例えばリードソロモン符号によるエラー回復を導入することによってノイズ耐性を向上させることも考えられる。しかしながら、これまでの規格との互換性を保つためには、最初に伝送される接続フレームの信号形式を変更することは容易ではなく、接続フレームの信号形式が変更される可能性は低いと考えられる。
【００１８】
また、上記の説明では、接続フレームとデータフレームとを赤外線通信によって送信する従来のデータ送信装置の問題点について説明したが、赤外線通信に限らず、データフレームの送信に先立って、当該データフレームの送信条件を示した接続フレームを赤外線以外の伝送媒体を用いて送信するデータ送信装置においても、同様の問題が生じる。
【００１９】
本発明は、上記従来の問題点に鑑みなされたものであって、その目的は、接続フレームがノイズの影響を受けやすい環境下であってもデータフレームの送受信を適切に行うことにある。
【課題を解決するための手段】
【００２０】
本発明の第１のデータ送信装置は、上記の課題を解決するために、データ受信装置に送信するフレームを変調する変調部と、変調されたフレームをデータ受信装置に送信する送信部とを備え、コンテンツ情報を含んだデータフレームをデータ受信装置に送信する前に、当該データフレームの伝送条件を示す接続フレームをデータ受信装置に送信するデータ送信装置であって、上記接続フレームとして、変調方式および通信速度のうちの少なくとも一方が互いに異なる複数の接続フレームを送信することを特徴としている。
【００２１】
また、本発明の第１のデータ送信方法は、上記の課題を解決するために、コンテンツ情報を含んだデータフレームをデータ送信装置からデータ受信装置に送信する前に、当該データフレームの伝送条件を示す接続フレームをデータ送信装置からデータ受信装置に送信するデータ送信方法であって、上記接続フレームとして、変調方式および通信速度のうちの少なくとも一方が互いに異なる複数の接続フレームを送信する接続送信工程を含むことを特徴としている。
【００２２】
また、本発明の第１のデータ送受信システムは、上記の課題を解決するために、データ受信装置に送信するフレームを変調する変調部と、変調されたフレームをデータ受信装置に送信する送信部とを備え、コンテンツ情報を含んだデータフレームをデータ受信装置に送信する前に、当該データフレームの伝送条件を示す接続フレームをデータ受信装置に送信するデータ送信装置と、上記接続フレームを受信し、受信した接続フレームに示されている伝送条件に基づいて上記データフレームの受信を行うデータ受信装置とを備えたデータ送受信システムであって、上記データ送信装置は、上記接続フレームとして、変調方式および通信速度のうちの少なくとも一方が互いに異なる複数の接続フレームを送信することを特徴としている。
【００２３】
上記第１のデータ送信装置、第１のデータ送信方法、および第１のデータ送受信システムに備えられるデータ送信装置によれば、受信側の装置において変調方式および通信速度の一方が互いに異なる複数の接続フレームを受信させることができるので、ある接続フレームを正常に受信できない場合であっても、この接続フレームとは変調方式または通信速度が異なる他の接続フレームを正常に受信できる可能性が高くなる。これにより、受信側装置において、正常に受信した接続フレームに基づいてデータフレームの受信処理を制御することができる確率が高くなるので、ある接続フレームがノイズの影響を受けやすい環境下であっても、データフレームを受信側装置に適切に受信させることができる。
【００２４】
また、上記複数の接続フレームには、所定期間中にパルスが存在するか否かによってデータの値を示す変調方式の接続フレームと、所定期間中に存在するパルスの時間軸上の位置によって当該接続フレームに含まれる値を示す変調方式、またはデータビットの値が一定回数以上連続して同じ値にならないように変調する変調方式の接続フレームとが含まれている構成としてもよい。
【００２５】
所定期間中に存在するパルスの時間軸上の位置によってデータの値を示す変調方式、およびデータビットの値が一定回数以上連続して同じ値にならないように変調する変調方式は、所定期間中にパルスが存在するか否かによってデータの値を示す変調方式に比べて、ノイズの影響を受けにくい。このため、上記の構成によれば、所定期間中にパルスが存在するか否かによってデータの値を示す変調方式の接続フレームのみを送信する場合に比べて、ノイズの影響を受けにくい接続フレームを送信することができる。
【００２６】
また、上記複数の接続フレームには、ＲＺＩ変調方式の接続フレームと、４ＰＰＭ変調方式、ＨＨＨ（１，１３）変調方式、および８Ｂ１０Ｂ変調方式のうちのいずれかの変調方式の接続フレームとが含まれている構成としてもよい。
【００２７】
４ＰＰＭ変調方式およびＨＨＨ（１，１３）変調方式は所定期間中に存在するパルスの時間軸上の位置によってデータの値を示す変調方式であり、８Ｂ１０Ｂ変調方式はデータビットの値が一定回数以上連続して同じ値にならないように変調する変調方式であり、ＲＺＩ変調方式は所定期間中にパルスが存在するか否かによってデータの値を示す変調方式である。したがって、上記の構成によれば、ＲＺＩ変調方式の接続フレームのみを送信する構成に比べて、ノイズの影響を受けにくい接続フレームを送信することができる。
【００２８】
また、上記複数の接続フレームには、ＲＺＩ変調方式かつ通信速度９６００ｂｐｓの接続フレームと、ＲＺＩ変調方式かつ通信速度が９６００ｂｐｓよりも速い接続フレームとが含まれている構成としてもよい。
【００２９】
ＲＺＩ変調方式かつ通信速度が９６００ｂｐｓよりも速い接続フレームは、ＲＺＩ変調方式かつ通信速度９６００ｂｐｓの接続フレームに比べて、ノイズの影響を受けにくい。したがって、上記の構成によれば、ＲＺＩ変調方式かつ通信速度９６００ｂｐｓの接続フレームのみを送信する場合に比べて、ノイズの影響を受けにくい接続フレームを送信することができる。
【００３０】
本発明の第２のデータ送信装置は、上記の課題を解決するために、データ受信装置に送信するフレームを変調する変調部と、変調されたフレームをデータ受信装置に送信する送信部とを備え、コンテンツ情報を含んだデータフレームをデータ受信装置に送信する前に、当該データフレームの伝送条件を示す接続フレームをデータ受信装置に送信するデータ送信装置であって、上記接続フレームとして、所定期間中に存在するパルスの時間軸上の位置によって当該接続フレームに含まれる値を示す変調方式の接続フレーム、またはデータビットの値が一定回数以上連続して同じ値にならないように変調する変調方式の接続フレームを送信することを特徴としている。
【００３１】
また、本発明の第２のデータ送信方法は、上記の課題を解決するために、コンテンツ情報を含んだデータフレームをデータ送信装置からデータ受信装置に送信する前に、当該データフレームの伝送条件を示す接続フレームをデータ送信装置からデータ受信装置に送信するデータ送信方法であって、上記接続フレームとして、所定期間中に存在するパルスの時間軸上の位置によって当該接続フレームに含まれる値を示す変調方式の接続フレーム、またはデータビットの値が一定回数以上連続して同じ値にならないように変調する変調方式の接続フレームを送信する接続送信工程を含むことを特徴としている。
【００３２】
また、本発明の第２のデータ送受信システムは、上記の課題を解決するために、データ受信装置に送信するフレームを変調する変調部と、変調されたフレームをデータ受信装置に送信する送信部とを備え、コンテンツ情報を含んだデータフレームをデータ受信装置に送信する前に、当該データフレームの伝送条件を示す接続フレームをデータ受信装置に送信するデータ送信装置と、上記接続フレームを受信し、受信した接続フレームに示されている伝送条件に基づいて上記データフレームの受信を行うデータ受信装置とを備えたデータ送受信システムであって、上記データ送信装置は、上記接続フレームとして、所定期間中に存在するパルスの時間軸上の位置によって当該接続フレームに含まれる値を示す変調方式の接続フレーム、またはデータビットの値が一定回数以上連続して同じ値にならないように変調する変調方式の接続フレームを送信することを特徴としている。
【００３３】
所定期間中に存在するパルスの時間軸上の位置によってデータの値を示す変調方式、およびデータビットの値が一定回数以上連続して同じ値にならないように変調する変調方式は、所定期間中にパルスが存在するか否かによってデータの値を示す変調方式に比べて、ノイズの影響を受けにくい。
【００３４】
したがって、上記第２のデータ送信装置、第２のデータ送信方法、および第２のデータ送受信システムによれば、従来のように所定期間中にパルスが存在するか否かによってデータの値を示す変調方式（ＲＺＩ変調方式）の接続フレームを送信する構成に比べて、ノイズの影響を受けやすい環境下であっても、受信側装置において接続フレームが正常に受信される確率を高くすることができる。
【００３５】
また、上記接続フレームとして、４ＰＰＭ変調方式、ＨＨＨ（１，１３）変調方式、および８Ｂ１０Ｂ変調方式のうちのいずれかの変調方式の接続フレームを送信する構成としてもよい。
【００３６】
４ＰＰＭ変調方式およびＨＨＨ（１，１３）変調方式は所定期間中に存在するパルスの時間軸上の位置によってデータの値を示す変調方式であり、８Ｂ１０Ｂ変調方式はデータビットの値が一定回数以上連続して同じ値にならないように変調する変調方式である。したがって、上記の構成によれば、従来のように所定期間中にパルスが存在するか否かによってデータの値を示す変調方式（ＲＺＩ変調方式）の接続フレームを送信する構成に比べて、ノイズの影響を受けやすい環境下であっても、受信側装置において接続フレームが正常に受信される確率を高くすることができる。
【００３７】
また、上記接続フレームの通信速度は、ＩｒＤＡのＦＩＲの通信速度であり、上記データフレームの通信速度は、ＩｒＤＡのＦＩＲの通信速度またはＩｒＤＡのＶＦＩＲの通信速度であってもよい。
【００３８】
上記の構成によれば、受信側装置において接続フレームが正常に受信される確率を高くすることができ、データフレームを正常に受信できる確率を高くできる。
【００３９】
また、上記第１および第２のデータ送信装置において、上記接続フレームを、赤外線を伝送媒体として送信する構成としてもよい。
【００４０】
上記の構成によれば、接続フレームの送信時に赤外線ノイズが発生しやすい環境下であっても、接続フレームを受信側装置において適切に受信できる確率を高くできる。
【００４１】
また、上記接続フレームのフレームフォーマットは、ＩｒＤＡのＳＮＲＭフレームフォーマットであってもよい。
【００４２】
上記の構成によれば、接続フレームとして、ＩｒＤＡのＳＮＲＭフレームフォーマットを用いることにより、ＳＮＲＭフレーム内の接続パラメータとして、データフレームの通信速度、切断時間等の情報を付加することが可能となる。これにより、データ受信装置において、ＳＮＲＭフレーム内の接続パラメータを解析することで、データフレームの通信時における通信速度、切断時間等の情報を取得することができる。
【００４３】
なお、上記第１および第２のデータ送信方法は、コンピュータによって実現してもよく、この場合には、コンピュータに上記接続送信工程の処理を実行させることにより、上記データ送信方法をコンピュータにて実現させるデータ送信プログラム、およびそれを記録したコンピュータ読み取り可能な記録媒体も、本発明の範疇に含まれる。
【００４４】
本発明のデータ受信装置は、上記の課題を解決するために、コンテンツ情報を含んだデータフレームを送信する前に当該データフレームの伝送条件を示す接続フレームを送信するデータ送信装置から送信された上記データフレームを受信するデータ受信装置であって、上記データ送信装置は、上記データフレームを第１伝送条件で送信し、上記接続フレームを第１伝送条件とは変調方式および通信速度のうちの少なくとも一方が異なる第２伝送条件で送信するか、あるいは上記データフレームを第１伝送条件で送信し、上記接続フレームを上記第１伝送条件および上記第２伝送条件の両方で送信するものであり、上記データ送信装置から送信されたフレームを受信する受信部と、上記受信部が受信したフレームを復調する復調部とを備え、接続フレームを受信する前の受信待機状態では、上記受信部が上記第１伝送条件で送信されたフレームを受信し、上記復調部が上記受信部の受信したフレームを上記第１伝送条件に基づいて復調するように設定されており、上記復調部によって復調されたフレームがデータフレームである場合に、当該データフレームに続けて送信されるデータフレームの受信および復調を上記第１伝送条件に基づいて行うことを特徴としている。
【００４５】
また、本発明のデータ受信方法は、上記の課題を解決するために、コンテンツ情報を含んだデータフレームを送信する前に当該データフレームの伝送条件を示す接続フレームを送信するデータ送信装置から送信された上記データフレームを受信するデータ受信方法であって、上記データ送信装置は、上記データフレームを第１伝送条件で送信し、上記接続フレームを第１伝送条件とは変調方式および通信速度のうちの少なくとも一方が異なる第２伝送条件で送信するか、あるいは上記データフレームを第１伝送条件で送信し、上記接続フレームを上記第１伝送条件および上記第２伝送条件の両方で送信するものであり、上記データ送信装置から送信されたフレームを受信する受信工程と、上記受信部が受信したフレームを復調する復調工程とを含み、接続フレームを受信する前の受信待機状態では、上記受信工程において上記第１伝送条件で送信されたフレームを受信し、上記復調部工程において上記受信工程で受信したフレームを上記第１伝送条件に基づいて復調するように設定しておき、上記復調工程によって復調されたフレームがデータフレームである場合に、当該データフレームに続けて送信されるデータフレームの受信および復調を上記第１伝送条件に基づいて行うことを特徴としている。
【００４６】
また、本発明のデータ送受信システムは、上記の課題を解決するために、コンテンツ情報を含んだデータフレームを送信する前に当該データフレームの伝送条件を示す接続フレームを送信するデータ送信装置と、上記データ送信装置から送信された上記データフレームを受信するデータ受信装置とを備えたデータ送受信システムであって、上記データ送信装置は、上記データフレームを第１伝送条件で送信し、上記接続フレームを第１伝送条件とは変調方式および通信速度のうちの少なくとも一方が異なる第２伝送条件で送信するか、あるいは上記データフレームを第１伝送条件で送信し、上記接続フレームを上記第１伝送条件および上記第２伝送条件の両方で送信するものであり、上記データ受信装置は、上記データ送信装置から送信されたフレームを受信する受信部と、上記受信部が受信したフレームを復調する復調部とを備え、接続フレームを受信する前の受信待機状態では、上記受信部が上記第１伝送条件で送信されたフレームを受信し、上記復調部が上記受信部の受信したフレームを上記第１伝送条件に基づいて復調するように設定されており、上記復調部によって復調されたフレームがデータフレームである場合に、当該データフレームに続けて送信されるデータフレームの受信および復調を上記第１伝送条件に基づいて行うことを特徴としている。
【００４７】
上記のデータ受信装置、データ受信方法、およびデータ送受信システムによれば、接続フレームを受信する前の受信待機状態では、第１伝送条件で送信されたフレームを受信し、受信したフレームを第１伝送条件に基づいて復調するように設定されており、復調されたフレームがデータフレームである場合に、当該データフレームに続けて送信されるデータフレームの受信および復調を第１伝送条件に基づいて行う。これにより、第２伝送条件で送信された接続フレームを受信することが困難な場合であっても、第１伝送条件で伝送されたデータフレームを受信することができるので、データ受信の信頼性を向上させることができる。
【００４８】
また、本発明のデータ受信装置は、上記復調部によって復調されたフレームが接続フレームであるかデータフレームであるかを検出するフレーム解析部と、上記受信部の受信条件および上記復調部の復調条件を制御する受信制御部とを備え、上記受信制御部は、上記復調部によって復調されたフレームが接続フレームである場合には当該接続フレームに示されたデータフレームの伝送条件に基づいて当該接続フレームの後に送信されるデータフレームを受信して復調するように上記受信部および上記復調部を制御する構成としてもよい。
【００４９】
上記の構成によれば、第１伝送条件で送信された接続フレームを受信した場合に、当該接続フレームに示されたデータフレームの伝送条件に基づいて当該接続フレームの後に送信されるデータフレームの受信および復調を行うことができる。したがって、第２伝送条件で送信されたフレームの受信が困難な環境であっても、接続フレームを第１伝送条件と第２伝送条件の両方で送信するデータ送信装置から送信された第１伝送条件の接続フレームに基づいてデータフレームの受信を行うことができ、データ送受信の信頼性を向上させることができる。
【００５０】
また、上記受信部は、上記第１伝送条件で送信されたフレームのみを受信可能であり、上記復調部が復調することのできるフレームは上記第１伝送条件で送信されたフレームのみであってもよい。
【００５１】
上記の構成によれば、第２伝送条件で送信された接続フレームを受信することが困難な場合であっても、第１伝送条件で伝送されたデータフレームを受信することができるので、データ受信の信頼性を向上させることができる。また、受信部および復調部が、常に第１伝送条件で送信されたフレームの受信および復調を行うようになっているので、接続フレームの受信処理を行う必要がないため、受信部および復調部の実装が容易であり、回路規模を小さくできる。
【００５２】
また、上記データ送信装置から送信されたフレームを受信する第２受信部と、上記第２受信部が受信したフレームを復調する第２復調部とを備え、接続フレームを受信する前の受信待機状態では、上記第２受信部が上記第２伝送条件で送信されたフレームを受信し、上記第２復調部が上記第２受信部の受信したフレームを上記第２伝送条件に基づいて復調するように設定されており、上記受信制御部は、上記第２復調部によって復調されたフレームが接続フレームである場合に、当該接続フレームに示されたデータフレームの伝送条件に基づいて当該接続フレームの後に送信されるデータフレームを受信するように上記受信部または上記第２受信部を制御するとともに、上記受信部または上記第２受信部が受信したデータフレームを上記接続フレームに示されたデータフレームの伝送条件に基づいて復調するように上記復調部または上記第２復調部を制御する構成としてもよい。
【００５３】
上記の構成によれば、第２伝送条件で送信された接続フレームを第２受信部および第２復調部によって受信できた場合に、当該接続フレームに示されたデータフレームの伝送条件に基づいて当該接続フレームの後に送信されるデータフレームを受信することができる。したがって、データ受信の信頼性をさらに向上させることができる。
【００５４】
また、上記データフレームに基づく画像を表示する画像表示手段を備えている構成としてもよい。
【００５５】
上記の構成によれば、データ受信装置で画像データを受信した場合に、その画像データに基づく画像を画像表示手段に表示させることができる。
【００５６】
また、上記第２伝送条件における変調方式はＲＺＩ変調方式であり、上記第１伝送条件における変調方式は、４ＰＰＭ変調方式、ＨＨＨ（１、１３）変調方式、および８Ｂ１０Ｂ変調方式のうちのいずれかであってもよい。
【００５７】
一般に、ＲＺＩ変調方式は、４ＰＰＭ変調方式、ＨＨＨ（１、１３）変調方式、および８Ｂ１０Ｂ変調方式よりもノイズの影響によって通信エラーが生じやすいことが知られている。
【００５８】
これに対して、上記の構成によれば、ノイズの影響によってＲＺＩ変調方式を用いた接続フレームの受信が困難な場合であっても、ＲＺＩ変調方式よりもノイズの影響による通信エラーが生じにくい４ＰＰＭ変調方式、ＨＨＨ（１、１３）変調方式、および８Ｂ１０Ｂ変調方式のいずれかを用いて送信されたでフレームを受信することができる。したがって、データ受信の信頼性をより向上させることができる。
【００５９】
また、上記受信部は、上記データ送信装置から赤外線を伝送媒体として送信されたフレームを受信する構成であってもよい。
【００６０】
上記の構成によれば、赤外線を用いて送信されたフレームを受信することができる。また、赤外線ノイズの影響を受けやすい環境下であっても、データフレームを適切に受信できる。
【００６１】
なお、上記データ受信方法は、コンピュータによって実現してもよく、この場合には、コンピュータに上記各工程の処理を実行させることにより、上記データ受信方法をコンピュータにて実現させるデータ受信プログラム、およびそれを記録したコンピュータ読み取り可能な記録媒体も、本発明の範疇に含まれる。
【発明の効果】
【００６２】
以上のように、本発明の第１のデータ送信装置、第１のデータ送信方法、および第１のデータ送受信システムは、上記接続フレームとして、変調方式および通信速度のうちの少なくとも一方が互いに異なる複数の接続フレームを送信する。
【００６３】
それゆえ、受信側装置において、正常に受信した接続フレームに基づいてデータフレームの受信処理を制御することができる確率が高くなるので、ある接続フレームがノイズの影響を受けやすい環境下であっても、データフレームを受信側装置に適切に受信させることができる。
【００６４】
また、本発明の第２のデータ送信装置、第２のデータ送信方法、および第２のデータ送受信システムは、上記接続フレームとして、所定期間中に存在するパルスの時間軸上の位置によって当該接続フレームに含まれる値を示す変調方式の接続フレーム、またはデータビットの値が一定回数以上連続して同じ値にならないように変調する変調方式の接続フレームを送信する。
【００６５】
それゆえ、従来のように所定期間中にパルスが存在するか否かによってデータの値を示す変調方式（ＲＺＩ変調方式）の接続フレームを送信する構成に比べて、ノイズの影響を受けやすい環境下であっても、受信側装置において接続フレームが正常に受信される確率を高くすることができる。
【００６６】
本発明のデータ受信装置は、接続フレームを受信する前の受信待機状態では、上記受信部が上記第１伝送条件で送信されたフレームを受信し、上記復調部が上記受信部の受信したフレームを上記第１伝送条件に基づいて復調するように設定されており、上記復調部によって復調されたフレームがデータフレームである場合に、当該データフレームに続けて送信されるデータフレームの受信および復調を上記第１伝送条件に基づいて行う。
【００６７】
それゆえ、第２伝送条件で送信された接続フレームを受信することが困難な場合であっても、第１伝送条件で伝送されたデータフレームを受信することができるので、データ受信の信頼性を向上させることができる。
【発明を実施するための最良の形態】
【００６８】
〔実施形態１〕
本発明の一実施形態について説明する。図２は、本実施形態にかかるデータ送受信システム１の概略構成を示す説明図である。
【００６９】
（１．データ送受信システム１の構成）
この図に示すように、データ送受信システム１は、データ送信装置２とデータ受信装置３とを備えている。そして、このデータ送受信システム１では、データ送信装置２に保存されているデータ（例えば画像データ等）を、ＩｒＳＳと呼ばれる通信方法を用いた赤外線通信によってデータ受信装置に送信するようになっている。
【００７０】
データ送信装置２およびデータ受信装置３は、赤外線を通信媒体としてデータをワイヤレス通信する機能を有する赤外線通信装置である。また、データ送信装置２は、例えば、カメラ付き携帯電話、ノート型パソコン、ＰＤＡ、デジタルカメラ等の電子機器に備えられる。また、データ受信装置３は、例えば、液晶テレビ等のテレビ受像機、表示モニター、画像サーバー等の電子機器に備えられる。ただし、データ送信装置２およびデータ受信装置３の適用対象はこれに限るものではなく、データの送信または受信を行う機器であればよい。
【００７１】
（２．データ送信装置２の構成）
図１は、データ送信装置２の概略構成を示す機能ブロック図である。この図に示すように、データ送信装置２は、入力Ｉ／Ｆ部２１、送信制御部２２、記憶部２３、送信処理部２０、および発光部２７を備えている。また、送信処理部２０は、データ読出部２４、送信フレーム処理部２５、通信Ｉ／Ｆ部２６を備えている。なお、本実施形態では、データ送信装置２からデータ受信装置３にデータフレームとしてＪＰＥＧデータ（画像データ）のフレームを送信する場合の例について説明する。ただし、これに限らず、データ送信装置２からデータ受信装置３に送信するデータフレームは、他のコンテンツデータ（例えば、他の符号化方式の画像データ、テキストデータ、音声データ等）を含むフレームであってもよい。
【００７２】
入力Ｉ／Ｆ部２１は、図示しない操作入力部を介したユーザからのコマンドの入力を受け付けるインターフェイスである。なお、上記コマンドとしては、例えば、送信を行うＪＰＥＧデータの選択指示、およびＪＰＥＧデータの送信の実行指示などが入力される。
【００７３】
送信制御部２２は、データ送信装置２の各部の動作を制御するものであり、入力Ｉ／Ｆ部２１が受け付けたユーザからの送信要求の内容に応じて、所定のフレームフォーマットのフレームを生成させ、生成したフレームを所定の変調方式で変調させ、データ受信装置３に送信させる。なお、送信制御部２２の処理の詳細については後述する。
【００７４】
記憶部２３は、ＪＰＥＧデータ等の画像データ（コンテンツデータ）、フレームの送信条件等を示す接続パラメータ、ＯＳ（Operating System）プログラム、データ送信装置２で用いられる各種情報、データ送信装置２に備えられる各部の制御プログラムなどを記憶する記憶手段である。記憶部２３としては、例えばフラッシュメモリなどの不揮発性の記憶手段を用いることができる。
【００７５】
送信処理部２０は、データ読出部２４、送信フレーム処理部２５、通信Ｉ／Ｆ部２６を備えている。
【００７６】
データ読出部２４は、送信制御部２２からの指示に応じたデータを記憶部２３から読出し、送信フレーム処理部２５あるいは送信制御部２２に送る。
【００７７】
送信フレーム処理部２５は、送信制御部２２からの指示に応じて、送信するデータについてのＩｒＳＳ規格のフレームを生成するものであり、接続フレーム生成部２５ａとデータフレーム生成部２５ｂとを備えている。
【００７８】
接続フレーム生成部２５ａは、送信制御部２２から接続フレームの生成指示を受けると、データ読出部２４が記憶部２３から読み出した接続パラメータに基づいてＳＮＲＭフレームフォーマットの接続フレーム（ＳＮＲＭフレーム；通信情報通知フレーム）を生成し、通信Ｉ／Ｆ部２６の変調部セレクタ２８へ送る。接続フレームとは、当該接続フレームの後に送信するデータフレームの伝送条件（ビットレート等）等を記述したフレームである。図３は、ＳＮＲＭフレームフォーマットの接続フレームの一例を示す説明図である。
【００７９】
データフレーム生成部２５ｂは、送信制御部２２からデータフレームの生成指示を受けると、データ読出部２４が記憶部２３から読み出したデータに基づいてＵＩフレームフォーマットのデータフレーム（ＵＩフレーム）を生成し、通信Ｉ／Ｆ部２６の変調部セレクタ２８へ送る。図４は、ＵＩフレームフォーマットのデータフレームの一例を示す説明図である。
【００８０】
通信Ｉ／Ｆ部２６は、変調部セレクタ２８、ＳＩＲ変調部２９、ＦＩＲ変調部３０、およびマルチプレクサ３１を備えている。
【００８１】
変調部セレクタ２８は、送信フレーム処理部２５から受け取ったフレーム（接続フレーム、データフレーム）を、送信制御部２２からの指示に応じてＳＩＲ変調部２９またはＦＩＲ変調部３０に送る。つまり、送信制御部２２からの指示に応じて、ＳＩＲモードの場合、すなわちＳＩＲとして規定されているプロトコルに従った通信を行う場合には、送信フレーム処理部２５から受け取ったフレームをＳＩＲ変調部２９へ送る。また、ＦＩＲモードの場合、すなわちＦＩＲとして規定されているプロトコルに従った通信を行う場合には、送信フレーム処理部２５から受け取ったフレームをＦＩＲ変調部３０へ送る。
【００８２】
ＳＩＲ変調部２９は、送信フレーム処理部２５から受け取ったフレームに対してＳＩＲモードに応じた変調処理を施し、変調したフレームを発光部２７に送る。
【００８３】
ＦＩＲ変調部３０は、送信フレーム処理部２５から受け取ったフレームに対してＦＩＲモードに応じた変調処理を施し、変調したフレーム（物理層フレーム）を発光部２７に送る。図５は、ＦＩＲモードの物理層フレームフォーマットの一例を示す説明図である。
【００８４】
マルチプレクサ３１は、送信制御部２２の指示に応じて、ＳＩＲモードが選択されている場合にはＳＩＲ変調部２９の出力を発光部２７に出力し、ＦＩＲモードが選択されている場合にはＦＩＲ変調部３０の出力を発光部２７に出力する。
【００８５】
発光部２７は、赤外線通信を行うための発光モジュール（発光素子）であり、データ送信用の赤外線ＬＥＤ（Light emitting diode）あるいはＬＤ（レーザーダイオード）によって構成されている。また、発光部２７は、送信制御部２２の指示に応じて、ＳＩＲモードに設定されている場合には９６００ｂｐｓのビットレートでフレームを送信し、ＦＩＲモードに設定されている場合には４Ｍｂｐｓのビットレートでフレームを送信する。
【００８６】
なお、ＳＩＲモードで扱われる信号形式はＲＺＩ（Return to Zero Inversion）変調方式であり、ビットレートが９６００ｂｐｓの場合、上記した図１７に示したように、１０４μｓｅｃ程度の期間中に１．４１μｓｅｃ〜２２.１３μｓｅｃの赤外線パルスが存在するか否かによって０または１を示すようになっている。具体的には、ＲＺＩ変調方式では、データが０である場合には上記した１０４μｓｅｃ程度の期間中にパルスを生じさせ、データが１の場合には上記した１０４μｓｅｃ程度の期間中にパルスを生じさせないことで、１と０とを表現するようになっている。
【００８７】
ＳＩＲモードで扱われる信号形式では、ビットレートが９６００ｂｐｓの場合、データが１の場合が続いてパルスが出ない状態が長く続くと、デューティが２％程度まで低下する。この場合、データ受信装置３に備えられているＡＧＣ（自動ゲインコントローラ）がゲインを上げるように動作するため、赤外線ノイズをデータが０であることを示すパルスとして誤認しやすくなる。したがって、ＳＩＲモードは赤外線ノイズの影響を受けやすい（赤外線ノイズの影響によって通信エラーが生じやすい）モードであると言える。
【００８８】
図６は、ＦＩＲモードにおける発光部２７の発光パターン、すなわちＦＩＲモードにおける信号形式を示す説明図である。この図に示すように、ＦＩＲモードで扱われる信号形式は４ＰＰＭ（4 Pulse Position Modulation）変調方式であり、５００ｎｓｅｃ程度の期間中に存在する１２５ｎｓｅｃ程度の赤外線パルスの位置（時間軸上の位置）によって２ビットのデータを示すようになっている。
【００８９】
ＦＩＲモードで扱われる信号形式では、図６に示したように、一定時間（１２５ｎｓｅｃ程度）発光する赤外線パルスが一定の割合（５００ｎｓｅｃ程度に１回の割合）で現れるため、デューティは２５％固定となり、データ受信装置３に備えられているＡＧＣ（自動ゲインコントローラ）により、シグナル（上記の赤外線パルス）をノイズに対して明確に区別することができる。したがって、ＦＩＲモードは、ＳＩＲモードに比べて、赤外線ノイズの影響に強い（赤外線ノイズの影響によって通信エラーが生じにくい）変調方式であると言える。
【００９０】
（３．データ受信装置３の構成）
図７は、データ受信装置３の概略構成を示すブロック図である。この図に示すように、データ受信装置３は、受光部１３１、通信Ｉ／Ｆ部１３２、受信モード切替処理部１３４、受信フレーム処理部１３５、デコード部１３６、および画像表示部１３７を備えている。
【００９１】
受光部１３１は、赤外線通信を行うための受光モジュール（受光素子）であり、データ受信用のフォトダイオードによって構成されている。すなわち、受光部１３１では、フォトダイオードによってデータ送信装置２の発光部２７の点滅を検知することによりフレームの受信を行うものである。なお、受光部１３１は、受信モード切替処理部１３４の指示に応じて、ＳＩＲモードとＦＩＲモードとに切り替え可能であり、ＳＩＲモードに設定されている場合にはＳＩＲフレーム（ＳＩＲモードで送信されたフレーム）を受信し、ＦＩＲモードに設定されている場合にはＦＩＲフレーム（ＦＩＲモードで送信されたフレーム）を受信する。そして、受光部１３１は、受信したフレーム（接続フレーム、データフレーム）を通信Ｉ／Ｆ部１３２に送る。
【００９２】
また、受光部１３１は、受信した信号を増幅するアンプとアンプのゲインを調節するＡＧＣとを備えており、ＡＧＣが受信モード切替処理部１３４の指示に応じたモードの信号形式に応じて内蔵するアンプのゲインや帯域を切り替えるようになっている。受光部１３１の受光感度の規格はＳＩＲモードとＦＩＲモードとで異なっており、ＳＩＲモードでは４μＷ／ｃｍ２、ＦＩＲモードでは１０μＷ／ｃｍ２である。なお、ＳＩＲモードの通信ではＦＩＲモードよりも弱い赤外光が受信されるので、この点からもＳＩＲモードはＦＩＲモードの通信に比べて赤外線ノイズに弱いと言える。
【００９３】
通信Ｉ／Ｆ部１３２は、受信モード切替処理部（受信制御部）１３４からの指示（モード切替指示）に応じて、受光部１３１の受光モードを切り替える。つまり、通信Ｉ／Ｆ部１３２は、受信モード切替処理部１３４からＳＩＲモードへの切替指示を受けた場合に受光部１３１をＳＩＲモードに設定し、受信モード切替処理部１３４からＦＩＲモードへの切替指示を受けた場合に受光部１３１をＦＩＲモードに設定する。
【００９４】
受信フレーム処理部１３５は、通信Ｉ／Ｆ部１３２から送られてくるフレームを復調する。また、受信モード切替処理部１３４からの指示（モード切替指示）に応じて、ＳＩＲモードとＦＩＲモードとに切り替えられる。また、受信フレーム処理部１３５は、復調したフレームが接続フレームである場合にはこの接続フレームを受信モード切替処理部１３４に送る。一方、復調したフレームがデータフレームである場合には、通信Ｉ／Ｆ部１３２から送られてくるデータフレームをメモリ（図示せず）に蓄積し、すべてのデータフレームが集まったときにＪＰＥＧデータとして組み立て、ＪＰＥＧデータをデコード部１３６に送る。
【００９５】
受信モード切替処理部（受信制御部）１３４は、受信フレーム処理部１３５から受け取った接続フレームに記述されている情報に応じてモード切替指示信号を生成し、受光部１３１、通信Ｉ／Ｆ部１３２、受信フレーム処理部１３５に送る。例えば、初期状態（デフォルト）では受光部１３１、通信Ｉ／Ｆ部１３２、受信フレーム処理部１３５をＳＩＲモードに設定しておき、接続フレームを受信したときに、この接続フレームに記述されている後続のデータフレームの伝送条件（ビットレート等）に応じてモード切替指示信号を生成する。これにより、例えば、後続するデータフレームのビットレートが４Ｍｂｐｓである旨の情報が接続フレームに記述されていた場合、４Ｍｂｐｓのビットレートのデータフレームを受信できるように受光部１３１、通信Ｉ／Ｆ部１３２、受信フレーム処理部１３５を設定する。
【００９６】
デコード部１３６は、受信フレーム処理部１３５から送られてきたＪＰＥＧデータをデコードして画像に展開するものである。そして、画像表示部１３７は、デコード部１３６で展開された画像を表示するものである。
【００９７】
（４．データ送信装置２の動作）
図８は、データ送信装置２における処理の流れを示すフロー図である。また、図９は、データ送信装置２からデータ受信装置３に送信されるフレームおよび各フレームの送信タイミングを示した説明図である。
【００９８】
図８に示したように、送信制御部２２は、入力Ｉ／Ｆ部２１が接続要求を受け付けることを監視している（Ｓ１）。そして、接続要求を受け付けると、送信制御部２２は、受け付けた接続要求の内容に応じて、送信処理部２０の各部に接続フレームの生成指示を送る（Ｓ２）。つまり、データ読出部２４を制御して記憶部２３から接続要求に応じた接続パラメータを読み出させ、接続フレーム生成部２５ａに送らせる。また、接続フレーム生成部２５ａを制御し、データ読出部２４から送られる接続パラメータに応じた接続フレームを生成させる。
【００９９】
次に、送信制御部２２は、生成した接続フレームをＦＩＲモードでデータ受信装置３に送信させる（Ｓ３）。つまり、送信制御部２２は、変調部セレクタ２８を制御して接続フレーム生成部２５ａから出力された接続フレームをＦＩＲ変調部３０に入力させ、ＦＩＲ変調部３０を制御して接続フレームをＦＩＲモードに応じた変調方式で変調させ、マルチプレクサ３１を制御してＦＩＲ変調部３０から出力された接続フレームを発光部２７に入力させる。また、送信制御部２２は、発光部２７を制御し、マルチプレクサ３１を介して入力された接続フレームをＦＩＲモードに応じたビットレート（ここでは４Ｍｂｐｓ）で送信させる（図９に示した「ＳＮＲＭ（ＦＩＲ（４Ｍｂｐｓ）−４ＰＰＭ）」を送信させる）。
【０１００】
次に、送信制御部２２は、Ｓ２で生成した接続フレームをＳＩＲモードでデータ受信装置３に送信させる（Ｓ４）。つまり、送信制御部２２は、変調部セレクタ２８を制御して接続フレーム生成部２５ａから出力された接続フレームをＳＩＲ変調部２９に入力させ、ＳＩＲ変調部２９を制御して接続フレームをＳＩＲモードに応じた変調方式で変調させ、マルチプレクサ３１を制御してＳＩＲ変調部２９から出力された接続フレームを発光部２７に入力させる。また、送信制御部２２は、発光部２７を制御し、マルチプレクサ３１を介して入力された接続フレームをＳＩＲモードに応じたビットレート（ここでは９６００ｂｐｓ）で送信させる（図９に示した「ＳＮＲＭ（ＳＩＲ（９６００ｂｐｓ）−ＲＺＩ）」を送信させる）。
【０１０１】
なお、Ｓ２で生成した接続フレームを、記憶部２３、他のメモリ、あるいはバッファ等に一旦格納しておき、Ｓ３において接続フレームをＦＩＲモードで送信した後、格納しておいた接続フレームを読み出してＳＩＲモードで送信するようにしてもよい。また、Ｓ２で生成した接続フレームをＦＩＲモードに応じた変調方式で変調する処理と、ＳＩＲモードに応じた変調方式で変調する処理とを並行して行い、ＳＩＲモードに応じた変調結果を記憶部２３、他のメモリ、あるいはバッファ等に一旦格納しておき、Ｓ３において接続フレームをＦＩＲモードで送信した後、ＳＩＲモードに応じて変調させて格納しておいた接続フレームを読み出してＳＩＲモードで送信するようにしてもよい。また、Ｓ３において接続フレームをＦＩＲモードで送信した後、Ｓ２の接続フレーム生成処理を再度行い、ＳＩＲモードで送信するようにしてもよい。
【０１０２】
その後、送信制御部２２は、データ送信要求を受け付けたか否かを判断し（Ｓ５）、受け付けていない場合には引き続きデータ送信要求が入力されることを監視する。なお、接続要求とデータ送信要求とは同時に入力されてもよい。
【０１０３】
一方、データ送信要求を受け付けた場合、送信制御部２２は、受け付けたデータ送信要求の内容に応じて、送信処理部２０の各部にデータフレームの生成指示を送る（Ｓ６）。つまり、データ読出部２４を制御して記憶部２３からデータ送信要求に応じた送信データ（ここではＪＰＥＧデータ）を読み出させ、データフレーム生成部２５ｂに送らせる。また、データフレーム生成部２５ｂを制御し、データ読出部２４から送られる送信データに応じたデータフレームを生成させる。
【０１０４】
次に、送信制御部２２は、生成したデータフレームをＦＩＲモードでデータ受信装置３に送信させる（Ｓ７）。つまり、送信制御部２２は、変調部セレクタ２８を制御してデータフレーム生成部２５ｂから出力されたデータフレームをＦＩＲ変調部３０に入力させ、ＦＩＲ変調部３０を制御してデータフレームをＦＩＲモードに応じた変調方式で変調させ、マルチプレクサ３１を制御してＦＩＲ変調部３０から出力されたデータフレームを発光部２７に入力させる。また、送信制御部２２は、発光部２７を制御し、マルチプレクサ３１を介して入力されたデータフレームをＦＩＲモードに応じたビットレート（ここでは４Ｍｂｐｓ）で送信させる（図９に示した「ＵＩ（ＦＩＲ（４Ｍｂｐｓ）−４ＰＰＭ）」を送信させる）。
【０１０５】
その後、送信制御部２２は、全ての送信データを送信したか否かを判断し（Ｓ８）、未送信の送信データが残っている場合にはＳ６およびＳ７の処理を引き続き行い、全ての送信データの送信が完了した場合には処理を終了する。
【０１０６】
以上のように、本実施形態にかかるデータ送信装置２は、ＳＩＲモードの接続フレームと、ＦＩＲモードの接続フレームとを送信する。また、本実施形態にかかるデータ受信装置３は、ＳＩＲモードの接続フレームとＦＩＲモードの接続フレームとを受信可能である（ＦＩＲモードのフレームを復調するＦＩＲ復調回路を備えている）。したがって、本実施形態にかかるデータ送信装置２およびデータ受信装置３によれば、データ受信装置３において、ＳＩＲモードよりも赤外線ノイズの影響を受けにくい変調方式の接続フレームを受信することができる。したがって、赤外線ノイズが多く、ＳＩＲモードの接続フレームの正常受信が困難な通信環境（例えば、通信距離が長い場合、冷陰極管を用いた液晶テレビ、プラズマテレビ、インバータタイプの蛍光灯などが伝送経路の近傍にある場合、データ受信装置が冷陰極管を用いた液晶テレビ、プラズマテレビなどの赤外線ノイズを放射する機器である場合など）においても、データ受信装置に接続フレームを正常に受信させることができる。これにより、データ受信装置において、データフレームの送信モードに応じた受信モードへの遷移を適切に行うことができる。
【０１０７】
なお、データ受信装置３において、図８に示したようにＳＩＲモードの接続フレームに先立って送信されたＦＩＲモードの接続フレームを正常に受信できた場合、その後に送信されるＳＩＲモードの接続フレームについては無視するようにしておいてもよい。これにより、赤外線ノイズの影響を受けにくい変調方式の接続フレームに基づいてデータフレームの受信を行うことができ、データフレームを適切に受信できる（データ送信装置２とデータ受信装置３とを適切に接続できる。）。
【０１０８】
また、本実施形態では、データ受信装置３がＳＩＲモードの接続フレームとＦＩＲモードの接続フレームとを受信可能であるものとしたが、これに限るものではない。例えば、ＦＩＲモードの接続フレームについては受信（あるいは認識）できず、ＳＩＲモードの接続フレームのみを受信できる構成の従来のデータ受信装置を用いてもよい。
【０１０９】
この場合、ＦＩＲモードの接続フレームについては受信できないものの、その後に送信されるＳＩＲモードの接続フレームを受信し、それに基づいてデータフレームの受信を行うことができる。すなわち、データ受信装置がＦＩＲモードの接続フレームを受信できない場合には、ＦＩＲモードの接続フレームは接続フレームとして認識されずに無視されるが、ＦＩＲモードの接続フレームに続けて送信されるＳＩＲモードの接続フレームを受信することにより、このＳＩＲモードの接続フレームに基づいてデータフレームの受信を行うことができる。
【０１１０】
このように、本実施形態では、データ送信装置２が、ＳＩＲモードの接続フレームとＦＩＲモードの接続フレームとを送信するので、データ受信装置が上記両モードの接続フレームを受信可能な場合には赤外線ノイズの影響を受けにくく信頼性の高いＦＩＲモードの接続フレームに基づいてデータフレームの受信を行うことができ、データ受信装置がＦＩＲモードの接続フレームを受信できない場合にはＳＩＲモードの接続フレームに基づいてデータフレームの受信を行うことができる。つまり、本実施形態にかかるデータ送信装置２は、ＳＩＲモードのみを受信可能な従来のデータ受信装置との間では従来と同様の通信を行うことができ、ＳＩＲモードの接続フレームおよびＦＩＲモードの接続フレームの両方を受信可能なデータ受信装置との間では従来よりも信頼性の高い通信を行うことができる（いわゆる上位互換性を有する）。
【０１１１】
また、本実施形態では、ＦＩＲモードの接続フレームをＳＩＲモードの接続フレームよりも先に送信するものとしたが、これに限らず、ＳＩＲモードの接続フレームをＦＩＲモードの接続フレームよりも先に送信するようにしてもよい。
【０１１２】
この場合、例えば、データ受信装置においてＳＩＲモードの接続フレームとＦＩＲモードの接続フレームとを共に受信できた場合、あるいはＳＩＲモードの接続フレームについては正常に受信できなかったもののＦＩＲモードの接続フレームを受信できた場合には、ＦＩＲモードの接続フレームに基づいてデータフレームの受信を行うようにすればよい。また、ＳＩＲモードの接続フレームを正常に受信できた場合には、その後に送信されるＦＩＲモードの接続フレームについては無視し、ＳＩＲモードの接続フレームに基づいてデータフレームの受信を行うようにしてもよい。
【０１１３】
また、本実施形態では、接続フレームをＳＩＲモードとＦＩＲモードとで送信する場合について説明したが、これに限るものではなく、ＳＩＲモードの接続フレームと、ＳＩＲモードの変調方式よりも赤外線ノイズの影響を受けにくい変調方式の接続フレームとを送信する構成であればよい。
【０１１４】
ＳＩＲモードの変調方式よりも赤外線ノイズの影響を受けにくい変調方式としては、例えば、ＲＺＩ変調方式のように所定期間中にパルスが存在するか否かによってデータビットの値を表現する変調方式とは異なり、所定期間中に存在するパルスの位置（時間軸上の位置）によってデータビットの値を表現する変調方式が挙げられる。
【０１１５】
このような変調方式を用いた送信モードとしては、上記したＦＩＲモードのほか、例えば、ＶＦＩＲモード（ＨＨＨ（１，１３）変調方式）などがあげられる。したがって、ＦＩＲ変調部３０に代えてＶＦＩＲ変調部（図示せず）を備え、ＶＦＩＲモードに応じた変調方式（ＨＨＨ（１，１３）変調方式）の接続フレームを送信する構成としてもよい。
【０１１６】
図１０は、ＶＦＩＲモードにおける発光部２７の発光パターン、すなわちＶＦＩＲモードに応じた変調方式の信号形式を示す説明図である。この図に示すように、ＶＦＩＲ変調方式の信号形式はＨＨＨ（１，１３）変調方式であり、４２ｎｓｅｃ程度の期間中に存在する１４ｎｓｅｃ程度の赤外線パルスの位置によって２ビットのデータを示すようになっている。なお、ＶＦＩＲモードで扱われる信号形式(ＨＨＨ（１，１３））では、仕様上、無信号状態（パルスの存在しない状態）は最大１３ｂｉｔ分（１８０ｎｓ程度）までに規定されている。このため、極端なデューティ変動は生じにくく、また、図１８に示したように４８ｂｉｔのＳＴＡフラグでフレームの先頭を示しているため、データ受信装置が内蔵するＡＧＣ（自動ゲインコントローラ）によってシグナルをノイズに対して明確に区別することができる。したがって、ＶＦＩＲモードの信号形式は、ＳＩＲモードで扱われる信号形式に比べて、赤外線ノイズの影響に強い（赤外線ノイズの影響によって通信エラーが生じにくい）と言える。
【０１１７】
また、ＦＩＲ変調部３０に加えて、ＶＦＩＲ変調部をさらに備え、接続フレームをＳＩＲ変調方式とＦＩＲ変調方式とで送信し、データフレームをＦＩＲ変調方式およびＶＦＩＲ変調方式のうちの少なくとも一方で送信するようにしてもよい。この場合、データフレームの変調方式については、例えば入力Ｉ／Ｆ部２１が受け付けた送信要求の内容に応じて送信制御部２２が適宜設定すればよい。データフレームの変調方式および通信速度は、データ送信装置２から送信される接続フレーム内の接続パラメータ（例えばNegotiation ParameterのBaud Rateパラメータ）によってデータ受信装置に通知される。データ受信装置では、接続フレームの接続パラメータに応じてデータフレームの受信モードを設定すればよい。例えば、ＶＦＩＲモードで送信する場合にはBaud Rateパラメータを１６Ｍｂｐｓに設定して送信し、ＦＩＲモードで送信する場合には４Ｍｂｐｓに設定して送信する。これにより、データ受信装置では、Baud Rateパラメータの値を参照して受信モードをＶＦＩＲモードあるいはＦＩＲモードに設定することができる。
【０１１８】
また、ＦＩＲ変調部３０に加えてＶＦＩＲ変調部を備える場合、ＳＩＲモード、ＶＦＩＲモード、およびＶＦＩＲモードの接続フレームをそれぞれ送信するようにしてもよい。
【０１１９】
なお、ＶＦＩＲ変調部を備える場合、送信制御部２２が変調部セレクタ２８を制御して接続フレーム生成部２５ａあるいはデータフレーム生成部２５ｂから出力されたフレームをＶＦＩＲ変調部に入力させてＶＦＩＲモードに応じた変調方式で変調させ、マルチプレクサ３１を制御して変調後のＶＦＩＲモードのフレームを発光部２７に送らせ、発光部２７を制御してＶＦＩＲモードに応じたビットレートで送信させる構成とすればよい。
【０１２０】
また、ＳＩＲモードの変調方式よりも赤外線ノイズの影響を受けにくい変調方式として、データの値（０または１）を、同じ値が所定回数以上連続しないように変調する変調方式が挙げられる。このような変調方式を用いた送信モードとしては、８Ｂ１０Ｂ変調方式が挙げられる。８Ｂ１０Ｂ変調方式とは、８ビットの情報を１０ビットのシンボル（伝送キャラクタ）で表現する変調方式であり、この変調方式では一定回数以上０が連続することがない。
【０１２１】
したがって、ＦＩＲ変調部３０に代えて８Ｂ１０Ｂ変調部（図示せず）を備え、ＳＩＲモードの接続フレームよりも赤外線ノイズの影響を受けにくい８Ｂ１０Ｂモードの接続フレームを送信する構成としてもよい。また、ＦＩＲ変調部３０に加えて、８Ｂ１０Ｂ変調部をさらに備え、接続フレームをＳＩＲモードとＦＩＲモード式とで送信し、データフレームをＦＩＲ変調方式および８Ｂ１０Ｂ変調方式のうちの少なくとも一方で送信するようにしてもよい。また、この場合、ＳＩＲモード、ＶＦＩＲモード、および８Ｂ１０Ｂモードの接続フレームをそれぞれ送信するようにしてもよい。なお、８Ｂ１０Ｂ変調部を備える場合、送信制御部２２が変調部セレクタ２８を制御して接続フレーム生成部２５ａあるいはデータフレーム生成部２５ｂから出力されたフレームを８Ｂ１０Ｂ変調部に入力させて８Ｂ１０Ｂモードに応じた変調方式で変調させ、マルチプレクサ３１を制御して変調後の８Ｂ１０Ｂ変調方式のフレームを発光部２７に送らせ、発光部２７を制御して８Ｂ１０Ｂモードに応じたビットレートで送信させる構成とすればよい。
【０１２２】
また、本実施形態では、データ送信装置２，２ｂとデータ受信装置３との間で赤外線通信を行うものとしているが、本発明はこれに限るものではなく、データフレームの送信に先立って接続フレームを送信する通信システムであって、接続フレームの信号形式が所定期間中にパルスが存在するか否かによってデータビットの値を表現する構成であれば適用できる。例えば、赤外線に代えて、ＩＥＥＥ１３９４、ＵＳＢ、電力線搬送、ケーブルＴＶ回線、電話線、ＡＤＳＬ回線等の有線、あるいは、Ｂｌｕｅｔｏｏｔｈ（登録商標）、８０２．１１無線、ＨＤＲ、携帯電話網、衛星回線、地上波デジタル網等の無線などを伝送媒体として用いる構成であってもよい。
【０１２３】
〔実施形態２〕
本発明の他の実施形態について説明する。なお、説明の便宜上、実施形態１に示した各部材と同様の機能を有する部材については実施形態１と同じ符号を付し、その説明を省略する。
【０１２４】
本実施形態にかかるデータ送信装置２の構成は、実施形態１に示したデータ送信装置２と略同様である。ただし、ＳＩＲモードにおける送信ビットレートが９６００ｂｐｓと１１５．２ｋｂｐｓとに切り替え可能であり、接続フレームを送信ビットレート９６００ｂｐｓのＳＩＲモード（以下、ＳＩＲ（９６００ｂｐｓ）モードという）と、送信ビットレート１１５．２ｋｂｐｓのＳＩＲモード（以下、ＳＩＲ（１１５．２ｋｂｐｓ）モードという）とで送信する点が実施形態１と異なっている。また、データ送信装置２から送信された接続フレームおよびデータフレームを受信するデータ受信装置３の構成も実施形態１と略同様である。ただし、本実施形態では、データ受信装置３は、ＳＩＲ（９６００ｂｐｓ）モードの接続フレームとＳＩＲ（１１５．２ｋｂｐｓ）モードの接続フレームとを受信可能になっている。
【０１２５】
ＳＩＲ変調部２９は、変調部セレクタ２８を介して入力されたフレームを、送信制御部２２の指示に応じて、ＳＩＲ（９６００ｂｐｓ）モードに応じた変調方式またはＳＩＲ（１１５．２ｋｂｐｓ）モードに応じた変調方式のいずれかで変調処理する。ＳＩＲモードで扱われる信号形式はＲＺＩ（Return to Zero Inversion）変調方式である。ＳＩＲ（９６００ｂｐｓ）モードでは、上記した図１７に示したように、１０４μｓｅｃ程度の期間中に１．４１μｓｅｃ〜２２.１３μｓｅｃの赤外線パルスが存在するか否かによって０または１を示す。ＳＩＲ（１１５．２ｋｂｐｓ）モードでは、８.７μｓｅｃ程度の期間中に１．４１μｓｅｃ〜２．２３μｓｅｃの赤外線パルスが存在するか否かによって０または１を示す。つまり、ＳＩＲ（９６００ｂｐｓ）モードおよびＳＩＲ（１５．２ｋｂｐｓ）モードでは、データが０である場合にはパルスを出し、データが１の場合にはパルスを出さない。
【０１２６】
図１１は、データ送信装置２における処理の流れを示すフロー図である。また、図１２は、データ送信装置２からデータ受信装置３に送信されるフレームおよび各フレームの送信タイミングを示した説明図である。これらの図に示すように、実施形態１におけるデータ送信装置２の処理（図７、図８参照）と異なる点は、実施形態１，２ではＳ３においてＦＩＲモードの接続フレームを送信していたのに代えて、本実施形態ではＳＩＲ（１１５．２ｋｂｐｓ）モードの接続フレームを送信する（Ｓ３’）点である。
【０１２７】
つまり、送信制御部２２は、Ｓ２の処理において接続フレーム生成部２５ａが生成した接続フレームをＳ３においてＳＩＲ（１１５．２ｋｂｐｓ）モードでデータ受信装置３に送信させる（Ｓ３’）。この際、送信制御部２２は、変調部セレクタ２８を制御して接続フレーム生成部２５ａから出力された接続フレームをＳＩＲ変調部２９に入力させ、ＳＩＲ変調部２９を制御して接続フレームをＳＩＲ（１１５．２ｋｂｐｓ）モードに応じた変調方式で変調させ、マルチプレクサ３１を制御してＳＩＲ変調部２９から出力された接続フレームを発光部２７に入力させる。また、送信制御部２２は、発光部２７を制御し、マルチプレクサ３１を介して入力された接続フレームをＳＩＲ（１１５．２ｋｂｐｓ）モードに応じたビットレートで送信させる（図１２に示した「ＳＮＲＭ（ＳＩＲ（１１５．２ｋｂｐｓ）−ＲＺＩ）」を送信させる）。
【０１２８】
以上のように、本実施形態にかかるデータ送信装置２は、ＳＩＲ（９６００ｂｐｓ）モードの接続フレームと、ＳＩＲ（１１５．２ｋｂｐｓ）モードの接続フレームとを送信する。これにより、ＳＩＲ（１１５．２ｋｂｐｓ）モードのフレームを受信可能なデータ受信装置において、ＳＩＲ（９６００ｂｐｓ）モードよりも赤外線ノイズの影響を受けにくい通信速度の接続フレームを受信することができる。したがって、赤外線ノイズが多く、ＳＩＲ（９６００ｂｐｓ）モードの接続フレームの正常受信が困難な通信環境においても、データ受信装置に接続フレームを正常に受信させることができる。これにより、データ受信装置においてデータフレームの送信モードに応じた受信モードへの遷移を適切に行うことができる。
【０１２９】
また、本実施形態にかかるデータ送信装置２は、ＳＩＲ（９６００ｂｐｓ）モードの接続フレームとＳＩＲ（１１５．２ｋｂｐｓ）モードの接続フレームとを送信するので、ＳＩＲ（９６００ｂｐｓ）モードの接続フレームのみを受信可能なデータ受信装置との間では従来と同様の通信を行うことができ、ＳＩＲ（１１５．２ｋｂｐｓ）モードの接続フレームを受信可能なデータ受信装置との間では従来よりも信頼性の高い通信を行うことができる。つまり、本実施形態にかかるデータ送信装置２は、上位互換性を有する。
【０１３０】
なお、本実施形態では、ＳＩＲ（１１５．２ｋｂｐｓ）モードの接続フレームをＳＩＲ（９６００ｂｐｓ）モードの接続フレームよりも先に送信するものとしたが、これに限らず、ＳＩＲ（９６００ｂｐｓ）モードの接続フレームを先に送信するようにしてもよい。
【０１３１】
また、データ受信装置においてＳＩＲ（１１５．２ｋｂｐｓ）モードの接続フレームとＳＩＲ（９６００ｂｐｓ）モードとを受信可能な場合、ＳＩＲ（１１５．２ｋｂｐｓ）モードの接続フレームに基づいてデータフレームの受信を行うようにしてもよく、あるいは、先に受信したモードの接続フレームに基づいてデータフレームの受信を行うようにしてもよい。
【０１３２】
また、本実施形態では、接続フレームをＳＩＲ（９６００ｂｐｓ）モードとＳＩＲ（１１５．２ｋｂｐｓ）モードとで送信する場合について説明したが、これに限るものではなく、ＳＩＲ（９６００ｂｐｓ）モードの接続フレームと、ＳＩＲ（９６００ｂｐｓ）モードよりも通信速度（送信ビットレート）の速いＳＩＲモードの接続フレームとを送信する構成であればよい。例えば、ＩｒＤＡでは、２４００ｂｐｓ、９６００ｂｐｓ，１９２００ｂｐｓ，３８４００ｂｐｓ，５７６００ｂｐｓ，１１５．２ｋｂｐｓ，０．５７６Ｍｂｐｓ，１．１５２Ｍｂｐｓ，４Ｍｂｐｓ，１６Ｍｂｐｓの通信速度が規定されている。そこで、例えば、ＳＩＲ（１１５．２ｋｂｐｓ）変調方式の接続フレームに代えて、１９２００ｂｐｓ，３８４００ｂｐｓ，５７６００ｂｐｓのうちのいずれかの通信速度のＳＩＲモードの接続フレームを送信してもよい。また、通信速度の異なる２種類のＳＩＲモードの接続フレームを送信する構成に限らず、通信速度の異なる３種類以上のＳＩＲモードの接続フレームを送信する構成にしてもよい。また、通信速度の異なる複数種類のＳＩＲモードの接続フレームと、ＳＩＲモードよりも赤外線ノイズの影響を受けにくい変調方式の接続フレーム（例えばＦＩＲモード、ＶＦＩＲモード、あるいは８Ｂ１０Ｂモードの接続フレーム）とを送信する構成としてもよい。
【０１３３】
また、ＳＩＲモードの接続フレームに限らず、例えば、ＳＩＲモードとは異なる変調方式であって通信速度が異なる複数の接続フレームを送信するようにしてもよい。この場合、ある通信速度の接続フレームの正常受信が困難な通信環境においても、他の通信速度の接続フレームをデータ受信装置において正常に受信させることができる。これにより、データ受信装置においてデータフレームの送信モードに応じた受信モードへの遷移を適切に行うことができる。
【０１３４】
〔実施形態３〕
本発明のさらに他の実施形態について説明する。なお、説明の便宜上、実施形態１，２に示した各部材と同様の機能を有する部材については実施形態１，２と同じ符号を付し、その説明を省略する。
【０１３５】
本実施形態にかかるデータ送信装置２は、接続フレームをＦＩＲモードで送信するようになっている。また、本実施形態では、データ受信装置３は、ＦＩＲモードの接続フレームとを受信可能になっている。
【０１３６】
図１３は、本実施形態にかかるデータ送信装置２ｂの概略構成を示すブロック図である。この図に示すように、データ送信装置２ｂは、実施形態１，２のデータ送信装置２におけるＳＩＲ変調部２９に代えて、ＶＦＩＲ変調部３２を備えている。その他の構成については、実施形態１，２と略同様である。
【０１３７】
ＶＦＩＲ変調部３２は、変調部セレクタ２８を介して入力されたフレームを、送信制御部２２の指示に応じて、ＶＦＩＲモードに応じた変調方式で変調処理する。ＶＦＩＲモードで扱われる信号形式は、上述したように、ＨＨＨ（１，１３）変調方式である。
【０１３８】
図１４は、データ送信装置２ｂにおける処理の流れを示すフロー図である。また、図１５は、データ送信装置２ｂからデータ受信装置３に送信されるフレームおよび各フレームの送信タイミングを示した説明図である。
【０１３９】
図１４に示したように、送信制御部２２は、入力Ｉ／Ｆ部２１が接続要求を受け付けることを監視している（Ｓ２１）。そして、接続要求を受け付けると、送信制御部２２は、受け付けた接続要求の内容に応じて、送信処理部２０の各部に接続フレームの生成指示を送る（Ｓ２２）。つまり、データ読出部２４を制御して記憶部２３から接続要求に応じた接続パラメータを読み出させ、接続フレーム生成部２５ａに送らせる。また、接続フレーム生成部２５ａを制御し、データ読出部２４から送られる接続パラメータに応じた接続フレームを生成させる。
【０１４０】
次に、送信制御部２２は、生成した接続フレームをＦＩＲモードでデータ受信装置３に送信させる（Ｓ２３）。つまり、送信制御部２２は、変調部セレクタ２８を制御して接続フレーム生成部２５ａから出力された接続フレームをＦＩＲ変調部３０に入力させ、ＦＩＲ変調部３０を制御して接続フレームをＦＩＲモードに応じた変調方式で変調させ、マルチプレクサ３１を制御してＦＩＲ変調部３０から出力された接続フレームを発光部２７に入力させる。また、送信制御部２２は、発光部２７を制御し、マルチプレクサ３１を介して入力された接続フレームをＦＩＲモードに応じたビットレート（ここでは４Ｍｂｐｓ）で送信させる（図１５に示した「ＳＮＲＭ（ＦＩＲ（４Ｍｂｐｓ）−４ＰＰＭ）」を送信させる）。
【０１４１】
次に、送信制御部２２は、データ送信要求を受け付けたか否かを判断し（Ｓ２４）、受け付けていない場合には引き続きデータ送信要求が入力されることを監視する。
【０１４２】
一方、データ送信要求を受け付けた場合、送信制御部２２は、受け付けたデータ送信要求の内容に応じて、送信処理部２０の各部にデータフレームの生成指示を送る（Ｓ２５）。つまり、データ読出部２４を制御して記憶部２３からデータ送信要求に応じた送信データ（ここではＪＰＥＧデータ）を読み出させ、データフレーム生成部２５ｂに送らせる。また、データフレーム生成部２５ｂを制御し、データ読出部２４から送られる送信データに応じたデータフレームを生成させる。
【０１４３】
次に、送信制御部２２は、データ送信要求の内容に応じて、生成したデータフレームをＦＩＲモードでデータ受信装置３に送信するか、あるいはＶＦＩＲモードでデータ受信装置３に送信するかを判断する（Ｓ２６）。
【０１４４】
そして、ＦＩＲモードで送信すると判断した場合、送信制御部２２は、送信処理部２０の各部を制御し、データフレームをＦＩＲモードで送信させる（Ｓ２７）。つまり、送信制御部２２は、変調部セレクタ２８を制御してデータフレーム生成部２５ｂから出力されたデータフレームをＦＩＲ変調部３０に入力させ、ＦＩＲ変調部３０を制御してデータフレームをＦＩＲモードに応じた変調方式で変調させ、マルチプレクサ３１を制御してＦＩＲ変調部３０から出力されたデータフレームを発光部２７に入力させる。また、送信制御部２２は、発光部２７を制御し、マルチプレクサ３１を介して入力されたデータフレームをＦＩＲモードに応じたビットレート（ここでは４Ｍｂｐｓ）で送信させる（図９に示した「ＵＩ（ＦＩＲ（４Ｍｂｐｓ）−４ＰＰＭ）」を送信させる）。
【０１４５】
一方、ＶＦＩＲモードで送信すると判断した場合、送信制御部２２は、送信処理部２０の各部を制御し、データフレームをＶＦＩＲモードで送信させる（Ｓ２８）。つまり、送信制御部２２は、変調部セレクタ２８を制御してデータフレーム生成部２５ｂから出力されたデータフレームをＶＦＩＲ変調部３２に入力させ、ＶＦＩＲ変調部３２を制御してデータフレームをＶＦＩＲモードに応じた変調方式で変調させ、マルチプレクサ３１を制御してＶＦＩＲ変調部３２から出力されたデータフレームを発光部２７に入力させる。また、送信制御部２２は、発光部２７を制御し、マルチプレクサ３１を介して入力されたデータフレームをＶＦＩＲモードに応じたビットレートで送信させる。
【０１４６】
Ｓ２７またはＳ２８でデータフレームを送信した後、送信制御部２２は、全ての送信データを送信したか否かを判断し（Ｓ２９）、未送信の送信データが残っている場合にはＳ２５以降の処理を引き続き行い、全ての送信データの送信が完了した場合には処理を終了する。
【０１４７】
以上のように、本実施形態にかかるデータ送信装置２ｂは、接続フレームをＦＩＲモードで送信する。これにより、ＦＩＲモードのフレームを受信可能なデータ受信装置において、ＳＩＲモードよりも赤外線ノイズの影響を受けにくい変調方式の接続フレームを受信することができる。したがって、赤外線ノイズが多く、ＳＩＲモードの接続フレームの正常受信が困難な通信環境においても、データ受信装置に接続フレームを正常に受信させることができる。これにより、データ受信装置においてデータフレームの送信モードに応じた受信モードへの遷移を適切に行わせることができる。
【０１４８】
なお、本実施形態では、ＶＦＩＲ変調部３２を備えた構成について説明したが、これに限らず、ＶＦＩＲ変調部３２を備えない構成としてもよい。この場合には、接続フレームおよびデータフレームをＦＩＲモードで送信することになる。また、ＶＦＩＲモードおよびＦＩＲモードとは異なる変調方式でデータフレームを送信するようにしても構わない。
【０１４９】
また、本実施形態では、ＦＩＲモードの接続フレームを送信する場合について説明したが、これに限らず、接続フレームを少なくともＳＩＲモードの変調方式よりも赤外線ノイズの影響を受けにくい変調方式（例えば４ＰＰＭ変調方式、ＨＨＨ（１，１３）変調方式、８Ｂ１０Ｂ変調方式など）、あるいは９６００ｂｐｓよりも通信速度が速いＳＩＲモード（ＲＺＩ変調方式）で送信する構成であればよい。この場合には、ＦＩＲ変調部３０に代えて、あるいはＦＩＲ変調部３０に加えて、接続フレームを送信する変調方式に応じた変調部を備えればよい。
【０１５０】
また、上記各実施形態において、送信制御部２２および送信処理部２０の各部は、ＣＰＵ等のプロセッサを用いてソフトウェアによって実現される。すなわち、送信制御部２２および送信処理部２０の各部は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアであるデータ送信装置２，２ｂの制御プログラムのプログラムコード（実行形式プログラム、中間コードプログラム、ソースプログラム）をコンピュータで読み取り可能に記録した記録媒体を、データ送信装置２，２ｂに供給し、そのコンピュータ（またはＣＰＵやＭＰＵ）が記録媒体に記録されているプログラムコードを読み出し実行することによって達成される。
【０１５１】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１５２】
また、データ送信装置２，２ｂを通信ネットワークと接続可能に構成し、通信ネットワークを介して上記プログラムコードを供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１５３】
また、送信制御部２２および送信処理部２０の各部は、ソフトウェアを用いて実現されるものに限らず、ハードウェアロジックによって構成されるものであってもよく、処理の一部を行うハードウェアと当該ハードウェアの制御や残余の処理を行うソフトウェアを実行する演算手段とを組み合わせたものであってもよい。
【０１５４】
〔実施形態４〕
本発明のさらに他の実施形態について説明する。なお、説明の便宜上、上記実施形態に示した各部材と同様の機能を有する部材については上記実施形態と同じ符号を付し、その説明を省略する。
【０１５５】
（４−１．データ受信装置３ｂの構成）
図１９は、本実施形態にかかるデータ受信装置３ｂの構成を示すブロック図である。このデータ受信装置３ｂは、実施形態１〜３のいずれかのデータ送受信システム１においてデータ受信装置３に代えて用いられるものである。また、このデータ受信装置３ｂは、ＳＩＲモードの接続フレームを送信した後にＦＩＲモードのデータフレームを送信する従来のデータ送信装置との通信を行うこともできる。
【０１５６】
なお、本実施形態では、ＩｒＳＳを用いる赤外線通信によって、カメラ付き携帯電話（データ送信装置２）に保存されている画像データを液晶テレビ（データ受信装置３ｂ）に送信するデータ送受信システム１を例に挙げて説明を行う。ただし、本発明の用途はこれに限定されるものではない。
【０１５７】
また、本実施形態では、データ受信装置３ｂがデータフレームとしてＪＰＥＧデータ（画像データ）のフレームを受信する場合の例について説明する。ただし、データ受信装置３ｂが受信するデータフレームはこれに限らず、他のコンテンツデータ（例えば、他の符号化方式の画像データ、テキストデータ、音声データ、動画データなど）を含むフレームであってもよい。
【０１５８】
図１９に示すように、データ受信装置３ｂは、入力Ｉ／Ｆ部１４１、受信制御部（受信モード切替処理部）１３４ｂ、受光部１３１、受信処理部１４２ｂ、データ書込部１４３、および記憶部１４４を備えている。受信処理部１４２ｂは、通信Ｉ／Ｆ部１３２ｂと受信フレーム処理部１３５ｂとを備えている。通信Ｉ／Ｆ部１３２ｂは、ＳＩＲ復調部１５１、ＦＩＲ復調部１５２、および復調部セレクタ１５３を備えている。
【０１５９】
受光部１３１は、赤外線通信を行うための受光モジュール（受光素子）であり、データ受信用のフォトダイオードによって構成されている。すなわち、受光部１３１では、フォトダイオードによってデータ送信装置２に備えられた赤外線ＬＥＤの点滅を検知することによりフレームの受信を行うものである。また、受光部１３１は、受信した信号を増幅するアンプとアンプのゲインを調節するＡＧＣとを備えており、ＡＧＣが受信制御部１３４ｂの指示に応じたモードの信号形式に応じて内蔵するアンプのゲインや帯域を切り替えるようになっている。また、受光部１３１は、受信制御部１３４ｂの指示に応じて、ＳＩＲモードとＦＩＲモードとに切り替え可能であり、ＳＩＲモードに設定されている場合にはＳＩＲフレーム（ＳＩＲモードで送信されたフレーム）を受信し、ＦＩＲモードに設定されている場合にはＦＩＲフレーム（ＦＩＲモードで送信されたフレーム）を受信する。そして、受光部１３１は、受信したフレーム（接続フレーム、データフレーム）を受信処理部１４２ｂに送る。受光部１３１の受光感度の規格はＳＩＲモードとＦＩＲモードとで異なっており、ＳＩＲモードでは４μＷ／ｃｍ２、ＦＩＲモードでは１０μＷ／ｃｍ２である。なお、ＳＩＲモードの通信ではＦＩＲモードよりも弱い赤外光が受信されるので、ＳＩＲモードはＦＩＲモードの通信に比べて赤外線ノイズに弱いと言える。
【０１６０】
通信Ｉ／Ｆ部１３２ｂは、ＳＩＲ復調部１５１、ＦＩＲ復調部１５２、および復調部セレクタ１５３を備えている。
【０１６１】
ＳＩＲ復調部１５１は、受光部１３１から受け取ったデータに対して、ＳＩＲモードに応じた復調処理を施し、復調したデータを復調部セレクタ１５３に送る。
【０１６２】
ＦＩＲ復調部１５２は、受光部１３１から受け取ったデータに対して、ＦＩＲモードに応じた復調処理を施し、復調したデータを復調部セレクタ１５３に送る。
【０１６３】
復調部セレクタ１５３は、受信制御部１３４ｂからの指示に応じて、ＳＩＲ復調部１５１からの出力およびＦＩＲ復調部１５２からの出力のいずれかを受信フレーム処理部１３５ｂへ出力する。
【０１６４】
受信フレーム処理部１３５ｂは、フレーム解析部１６１ｂ、接続フレーム処理部１６２、およびデータフレーム処理部１６３を備えている。
【０１６５】
フレーム解析部１６１ｂは、復調部セレクタ１５３から出力される受信データのフレーム解析を行い、受信したデータが接続フレームであるかデータフレームであるかを判断し、判断結果を示す信号を受信制御部１３４ｂへ送る。上記の判断は、例えば、受信したフレームがＳＮＲＭフレームフォーマットの場合には接続フレームであると判断し、ＵＩフレームフォーマットの場合にはデータフレームであると判断するようにすればよい。あるいは、フレーム中に接続フレームであるのかデータフレームであるのかを示すパラメータを埋め込んでおき、このパラメータに基づいて判断してもよい。
【０１６６】
また、フレーム解析部１６１ｂは、受信したデータが接続フレームである場合には受信データを接続フレーム処理部１６２に出力し、受信したデータがデータフレームである場合には受信データをデータフレーム処理部１６３へ出力する。
【０１６７】
接続フレーム処理部１６２は、受信制御部１３４ｂから接続フレームの解析指示を受けると、フレーム解析部１６１ｂから受け取った接続フレーム（ＳＮＲＭフレーム；通信情報通知フレーム）を所定のフレームフォーマットに基づいて解析し、その解析結果を受信制御部１３４ｂへ通知する。接続フレームには、当該接続フレームの後に送信されるデータフレームの伝送条件（ビットレート等）が記述されている。
【０１６８】
データフレーム処理部１６３は、受信制御部１３４ｂからデータフレームの解析指示を受けると、ＵＩフレームフォーマットのデータフレーム（ＵＩフレーム）を所定のフレームフォーマットに基づいて解析し、その解析結果を受信制御部１３４ｂへ通知するとともに、受信データ（ＪＰＥＧデータ）をデータ書込部１４３へ出力する。例えば、受信したデータフレームをメモリ（図示せず）に順次記憶させておき、データフレームの受信が完了したとき、あるいは所定のタイミングで復号処理等を行って元のコンテンツデータとして復元する。
【０１６９】
データ書込部１４３は、受信制御部１３４ｂからの指示に応じて、受信フレーム処理部１３５ｂから出力されるデータを記憶部１４４に記憶させる（書き込む）。
【０１７０】
記憶部１４４は、受信したＪＰＥＧデータ等の画像データ（コンテンツデータ）を記憶する記憶手段である。また、記憶部１４４は、ＯＳ（Operating System）プログラム、データ受信装置３ｂで用いられる各種情報、データ受信装置３ｂに備えられる各部の制御プログラムなども記憶する。記憶部１４４の構成は特に限定されるものではないが、例えば、フラッシュメモリなどの不揮発性の記憶手段を用いることができる。
【０１７１】
入力Ｉ／Ｆ部１４１は、操作入力部（図示せず）を介して入力されるユーザからのコマンド（指示）を受け付けるインターフェイスである。なお、上記コマンドとしては、例えば、ＪＰＥＧデータの受信の実行指示などが入力される。
【０１７２】
受信制御部（受信モード切替処理部）１３４ｂは、データ受信装置３ｂの各部の動作を制御するものである。
【０１７３】
受信制御部１３４ｂは、例えば、入力Ｉ／Ｆ部１４１が受け付けたユーザからの受信要求の内容に応じて、受信処理部１４２ｂに備えられる各部の動作を制御して受信したフレームを所定の復調方式に応じて復調させ、所定のフレームフォーマットに応じてフレームの処理を行わせる。
【０１７４】
また、受信制御部１３４ｂは、受信フレーム処理部１３５ｂから接続フレームに示された後続のデータフレームの伝送条件（ビットレート等）に関する情報を取得し、この情報に応じてモード切り替え指示信号を生成し、受光部１３１および通信Ｉ／Ｆ部１３２ｂに出力する。例えば、初期状態（デフォルト）では受光部１３１、通信Ｉ／Ｆ部１３２ｂをＦＩＲモードに設定しておき、受信フレーム処理部１３５ｂから接続フレームを受信した旨、および当該接続フレームに示された後続のデータフレームの伝送条件に関する情報の通知を受け取った場合には、この情報に応じてモード切り替え指示信号を生成して受光部１３１および通信Ｉ／Ｆ部１３２ｂに出力するとともに、データ送信装置２との接続が完了したと判断して受信処理部１４２ｂの各部をデータフレームの受信待ち状態にさせる。
【０１７５】
また、受信制御部１３４ｂは、受信フレーム処理部１３５ｂから接続フレーム受信完了の通知を受け取る前に、一番初めのデータフレームを受信した旨の通知を受け取った場合には、データ送信装置２との接続が完了したと判断し、受信処理部１４２ｂの各部をデータフレーム受信処理状態（後続のデータフレームを引き続き受信する状態）にさせる。
【０１７６】
（４−２．データ受信装置３ｂの動作）
次に、データ受信装置３ｂにおける受信処理時の動作について図２０〜図２３を参照しながら説明する。図２０は、データ受信装置３ｂにおける受信処理の流れを示すフロー図である。図２１は、データ送信装置２、すなわちＳＩＲモードの接続フレームとＦＩＲモードの接続フレームとを送信した後にＦＩＲモードのデータフレームを送信するデータ送信装置とデータ受信装置３ｂとの間で通信を行う場合のタイミングチャートである。図２２は、ＩｒＳＳプロトコルの接続を要求するためのＳＩＲモード（９６００ｂｐｓ）の接続フレームを送信した後にＦＩＲモード（４Ｍｂｐｓ）のデータフレームを送信する従来のデータ送信装置とデータ受信装置３ｂとの間で通信を行う場合のタイミングチャートである。図２３は、図２２と同様の従来のデータ送信装置と従来のデータ受信装置との間で通信を行う場合のタイミングチャートである。
【０１７７】
まず、受信制御部１３４ｂは、初期状態（デフォルト）では受光部１３１、通信Ｉ／Ｆ部１３２ｂをＦＩＲモード（４Ｍｂｐｓ）に設定して受信待ち状態にさせる（Ｓ３１）。
【０１７８】
また、受信制御部１３４ｂは、接続フレームを受信したか否か、すなわち受信フレーム処理部１３５ｂから接続フレームの受信通知を受け取ったか否かを監視する（Ｓ３２）。より具体的には、データ送信装置２から送信されるＦＩＲモードの接続フレームを受光部１３１で受信した場合、受信した接続フレームは通信Ｉ／Ｆ部１３２ｂのＦＩＲ復調部１５２および復調部セレクタ１５３を介して受信フレーム処理部１３５ｂに送られる。受信フレーム処理部１３５ｂに送られた接続フレームはフレーム解析部１６１ｂで解析されて接続フレームであることが認識される。その結果、フレーム解析部１６１ｂから受信制御部１３４ｂに接続フレームを受信した旨の通知が送信されるとともに、受信した接続フレームは接続フレーム処理部１６２に送られて解析され、その解析結果が接続フレーム処理部１６２から受信制御部１３４ｂに通知される。受信制御部１３４ｂは、フレーム解析部１６１ｂから送られる上記の通知に基づいて接続フレームを受信したか否かを判断する。
【０１７９】
なお、受信待ち状態では、受光部１３１、通信Ｉ／Ｆ部１３２ｂはＦＩＲモードに設定されている。また、図９で説明したように、データ送信装置２では、ＩｒＳＳプロトコルの接続を要求するためのＦＩＲモード（４Ｍｂｐｓ）の接続フレームを送信後、ＳＩＲモード（９６００ｂｐｓ）の接続フレームを送信する。そして、これら両モードの接続フレームを送信した後にＦＩＲモード（４Ｍｂｐｓ）のデータフレームを送信する。このため、図２１および図２２に示すように、受信待ち状態ではＳＩＲモード（９６００ｂｐｓ）で送信された接続フレームについては正常に受信できないが、ＦＩＲモード（４Ｍｂｐｓ）で送信された接続フレームについては正常に受信できる。これにより、赤外線ノイズの影響を受けにくい変調方式（ここでは、ＦＩＲモード）の接続フレームが示す伝送条件に従って、データフレームの受信を行うことができ、データフレームを適切に受信できる（データ送信装置２とデータ受信装置３ｂとを適切に接続できる）。
【０１８０】
Ｓ３２において接続フレームを受信したと判断した場合、受信制御部１３４ｂは、受光部１３１、通信Ｉ／Ｆ部１３２ｂ、および受信フレーム処理部１３５ｂの各部を接続フレームに示された伝送条件に応じた通信モードに設定してデータフレームの受信待ち状態にする（Ｓ３３）。
【０１８１】
そして、図２１に示すように、データ送信装置から接続フレームに続いて送信されるデータフレームを受光部１３１で順次受信し（Ｓ３４）、通信Ｉ／Ｆ部１３２ｂを介して受信フレーム処理部１３５ｂに送って蓄積していく。
【０１８２】
その後、受信制御部１３４ｂは、データフレームを最後まで受信できたか否かを判断する（Ｓ３５）。最後のデータフレームであるか否かは、例えば、ＤＩＳＣフレームを受信したか否かによって判断することができる。そして、最後まで受信できていない場合にはＳ３３以降の処理を継続し、最後まで受信できた場合にはＳ３９の処理へ移行する。
【０１８３】
一方、Ｓ３２で接続データを受信していないと判断した場合、受信制御部１３４ｂは、データフレームを受信したか否かを判断する（Ｓ３６）。より具体的には、データ送信装置２から送信されるＦＩＲモードのデータフレームを受光部１３１で受信した場合、受信したデータフレームは通信Ｉ／Ｆ部１３２ｂのＦＩＲ復調部１５２および復調部セレクタ１５３を介して受信フレーム処理部１３５ｂに送られる。受信フレーム処理部１３５ｂに送られたフレームはフレーム解析部１６１ｂで解析されてデータフレームであることが認識される。その結果、フレーム解析部１６１ｂから受信制御部１３４ｂにデータフレームを受信した旨の通知が送信されるとともに、受信したデータフレームはデータフレーム処理部１６３に送られて解析され、メモリ（図示せず）に順次記憶される。受信制御部１３４ｂは、フレーム解析部１６１ｂから送られる上記の通知に基づいてデータフレームを受信したか否かを判断する。
【０１８４】
そして、Ｓ３６においてデータフレームを受信していないと判断した場合、受信制御部１３４ｂは、Ｓ３１に戻り、接続フレームあるいはデータフレームの受信を引き続き監視する。
【０１８５】
一方、Ｓ３６においてデータフレームを受信したと判断した場合、受信制御部１３４ｂは、その後に続く一連のデータフレームの受信を継続させる（Ｓ３７）。
【０１８６】
なお、上述したように、データ受信装置３ｂは、初期状態（デフォルト）では受光部１３１、通信Ｉ／Ｆ部１３２ｂをＦＩＲモードに設定しているので、図２２に示すように、接続フレームを受信していない状態であっても、ＦＩＲモードで送信されたデータフレームについては受信可能であり、その後に続くＦＩＲモードのデータフレームについても受信することができる。つまり、データ受信装置３ｂでは、接続フレームを受信する前にデータフレームを受信した場合には、データ送信装置２との接続処理が完了したものとみなし、その後に続く一連のデータフレームの受信処理を行う。したがって、データ受信装置３ｂでは、接続フレームとしてＳＩＲモードの接続フレームのみを送信した後にＦＩＲモードのデータフレームを送信する従来のデータ送信装置から送信されたデータフレームを受信することができる。
【０１８７】
これに対して、従来のデータ受信装置では、接続フレームを受信してからでないとデータフレームの受信を行えなかった。また、従来のデータ受信装置では、図２３に示すように、ＳＩＲモードの接続フレームしか受信できず、ＦＩＲモードの接続フレームを受信できなかったので、ＳＩＲモードの接続フレームを正常に受信できない場合にはその後のＦＩＲモードのデータフレームを受信できなかった。つまり、ＳＩＲモードは上述のように赤外線ノイズの影響を受けやすいため、従来のデータ受信装置では、ＳＩＲモードの接続フレームを正常に受信できない場合が発生しやすく、その結果ＦＩＲモードのデータフレームを受信できない場合があった。
【０１８８】
その後、受信制御部１３４ｂは、最後のデータフレームを受信したか否かを判断する（Ｓ３８）。そして、最後のデータフレームを受信していないと判断した場合には、引き続きＳ３７の処理を継続する。一方、最後のデータフレームを受信したと判断した場合には、Ｓ３９の処理に移行する。
【０１８９】
Ｓ３５あるいはＳ３８において最後のデータフレームを受信したと判断した場合、受信制御部１３４ｂは、データフレーム処理部１６３を制御し、メモリに蓄積しておいたデータフレームをＪＰＥＧデータとして組み立てさせ（Ｓ３９）、データ書込部１４３に出力させる。その後、受信制御部１３４ｂは、データ書込部１４３を制御して上記のＪＰＥＧデータを記憶部１４４に記憶させ（Ｓ４０）、処理を終了する。
【０１９０】
以上のように、データ受信装置３ｂは、ＳＩＲモード（低速度通信モード）で送信されたフレームとＦＩＲモード（高速度通信モード）で送信されたフレームの両方を受信可能であり、デフォルト（初期状態）においてＦＩＲモードのフレームを受信可能な状態で待機する。そして、ＦＩＲモードの接続フレームを受信した場合には、受信した接続モードに示された伝送条件に応じて、接続フレームに続いて送信されるデータフレームの受信処理を行う。また、ＦＩＲモードのデータフレームを受信した場合には、このデータフレームに続いて送信される一連のデータフレームの受信処理を継続する。
【０１９１】
これにより、例えば、赤外線ノイズが多発してＳＩＲモード（低速度通信モード）で送信されたフレームの受信が困難な環境（例えば、通信距離が長い場合、冷陰極管を用いた液晶テレビ、プラズマテレビ、インバータタイプの蛍光灯などが伝送経路の近傍にある場合、データ受信装置が冷陰極管を用いた液晶テレビ、プラズマテレビなどの赤外線ノイズを放射する機器である場合など）であっても、ＦＩＲモード（高速度通信モード）で送信されるフレーム（接続フレームもしくはデータフレーム）を受信し、受信結果に応じてその後のデータフレームを受信することができ、ＩｒＳＳを用いた赤外線通信でのデータ受信の信頼性を向上させることができる。
【０１９２】
なお、ＩｒＳＳの規格ではビットレートとしては２４００ｂｐｓ、９６００ｂｐｓ、１９２００ｂｐｓ、３８４００ｂｐｓ、５７６００ｂｐｓ、１１５２００ｂｐｓ（以上ＳＩＲ）、０．５７６Ｍｂｐｓ、１．１５２Ｍｂｐｓ（以上ＭＩＲ）、４Ｍｂｐｓ（ＦＩＲ）、１６Ｍｂｐｓ（ＶＦＩＲ）があるが、市場に流通しているＩｒＳＳ対応の従来のデータ送信装置では、ＵＩフレームのビットレートとして４ＭｂｐｓのＦＩＲを使用している。このため、ＦＩＲモードで受信待ちを行うように設定しておくことにより、ＳＮＲＭフレーム（接続フレーム）が受信できなかった場合であってもデータフレームを正常に受信できる。
【０１９３】
また、データ送信装置が上述のデータ送信装置２である場合、ＳＩＲモードの接続フレームおよびＦＩＲモードの接続フレームの両方が送信されるので、データ受信装置３ｂでは、ＳＩＲモードの接続フレームは受信できないもののＦＩＲモードの接続フレームを受信できる。したがって、接続フレームに示された伝送方式に基づいて、接続フレームに続けて送信されるデータフレームを受信できる。また、データ送信装置２がＦＩＲモードの接続フレームを送信するので、データ受信装置３ｂは、ＳＩＲモードよりも赤外線ノイズの影響を受けにくいＦＩＲモードの接続フレームに基づいてデータフレームの受信を行うことができる。したがって、データフレームの送受信処理の信頼性を向上させることができる。
【０１９４】
なお、データ送信装置２が、接続フレームをＳＩＲ変調方式とＦＩＲ変調方式とで送信し、データフレームをＦＩＲ変調方式およびＶＦＩＲ変調方式のうちの少なくとも一方で送信するようにしてもよい。データフレームの変調方式および通信速度は、データ送信装置２から送信される接続フレーム内の接続パラメータ（例えばNegotiation ParameterのBaud Rateパラメータ）によってデータ受信装置３ｂに通知される。データ受信装置３ｂでは、接続フレームの接続パラメータに応じてデータフレームの受信モードを設定すればよい。例えば、データ送信装置２では、ＶＦＩＲモードで通信を行う場合には、接続フレーム内のＢａｕｄＲａｔｅパラメータを１６Ｍｂｐｓに設定して送信し、ＦＩＲモードで送信する場合には４Ｍｂｐｓに設定して送信する。これにより、データ受信装置３ｂでは、Ｂａｕｄ Ｒａｔｅパラメータの値を参照して受信モードをＶＦＩＲモードあるいはＦＩＲモードに設定することができる。これにより、ＦＩＲの接続フレームより高速なＶＦＩＲでデータフレームを送受信することができる。
【０１９５】
また、従来の技術では、通信の信頼性を保つために、データ受信装置における通信媒体に影響を及ぼすノイズ（例えば赤外線ノイズ）を生じやすい部材に対して、ノイズフィルタ（例えばガラス製赤外線ノイズフィルタ）を取り付けるなどの対策が必要であり、製造コストの増加を招いていた。これに対して、本実施形態の構成によれば、これらの対策を施さなくても通信の信頼性を向上させることができるので、データ受信装置の製造コストを低減できる。
【０１９６】
また、本実施形態では、データ送信装置２とデータ受信装置３ｂとの間で赤外線通信を行うものとしているが、本発明はこれに限るものではなく、データフレームの送信に先立って接続フレームを送信するデータ送受信システムであれば適用できる。例えば、赤外線に代えて、ＩＥＥＥ１３９４、ＵＳＢ、電力線搬送、ケーブルＴＶ回線、電話線、ＡＤＳＬ回線等の有線、あるいは、Ｂｌｕｅｔｏｏｔｈ（登録商標）、８０２．１１無線、ＨＤＲ、携帯電話網、衛星回線、地上波デジタル網等の無線などを伝送媒体として用いる構成であってもよい。また、通信媒体として可視光を用いてもよく、その場合にはデータ送信装置２におけるフレーム送信用の発光部２７およびデータ受信装置３ｂにおける受光部１３１を可視光に対応した発光部および受光部に交換すればよい。可視光を用いた通信では、例えばインバータ式の蛍光灯が近くにある場合など、赤外線通信以上にノイズが多くなる条件が揃いやすいため、本発明の効果をより好適に享受できる。
【０１９７】
また、本実施形態では、ＪＰＥＧデータを記憶部１４４に記憶させるものとしたが、これに限らず、ＪＰＥＧデータをデコードした後、画像表示部（図示せず）に表示させるようにしてもよい。あるいは、記憶部１４４に記憶させたＪＰＥＧデータを画像表示部に順次表示させるようにしてもよい。上記の画像表示部の構成は特に限定されるものではないが、例えば、液晶ディスプレイ、プラズマディスプレイ、有機ＥＬディスプレイ、ＣＲＴディスプレイなどを用いることができる。また、受信したコンテンツデータが静止画像、テキスト、図表等の場合に、それに応じた画像を画像形成手段（図示せず）によって記録紙等の記録媒体上に形成するようにしてもよい。上記の画像形成手段の構成は特に限定されるものではないが、例えば、インクジェットプリンタ、電子写真方式のプリンタ等を用いることができる。また、受信したコンテンツデータが音声データである場合に、それに応じた音声をスピーカー、ヘッドホン、イヤホン等の音声出力手段を介して出力するようにしてもよい。
【０１９８】
〔実施形態５〕
本発明のさらに他の実施形態について説明する。なお、説明の便宜上、上記実施形態に示した各部材と同様の機能を有する部材については上記実施形態と同じ符号を付し、その説明を省略する。
【０１９９】
実施形態４にかかるデータ受信装置３ｂは、通信Ｉ／Ｆ部１３２ｃがＳＩＲ復調部１５１とＦＩＲ復調部１５２とを備えており、ＳＩＲモードで送信されたフレームおよびＦＩＲモードで送信されたフレームの両方を受信可能になっていた。これに対して、本実施形態では所定のモード（本実施形態ではＦＩＲ（４Ｍｂｐｓ）モード）のフレームのみを受信可能なデータ受信装置を用いる。
【０２００】
（５−１．データ受信装置３ｃの構成）
図２４は、本実施形態にかかるデータ受信装置３ｃの概略構成を示すブロック図である。このデータ受信装置３ｃは、実施形態１〜４のいずれかのデータ送受信システム１においてデータ受信装置３，３ｂに代えて用いられるものである。また、このデータ受信装置３ｃは、ＳＩＲモードの接続フレームを送信した後にＦＩＲモードのデータフレームを送信する従来のデータ送信装置との通信を行うこともできる。
【０２０１】
なお、本実施形態では、ＩｒＳＳを用いる赤外線通信によって、カメラ付き携帯電話（データ送信装置２）に保存されている画像データを液晶テレビ（データ受信装置３ｃ）に送信するデータ送受信システム１を例に挙げて説明を行う。ただし、本発明の用途はこれに限定されるものではない。
【０２０２】
また、本実施形態では、データ受信装置３ｃがデータフレームとしてＪＰＥＧデータ（画像データ）のフレームを受信する場合の例について説明する。ただし、データ受信装置３ｃが受信するデータフレームはこれに限らず、他のコンテンツデータ（例えば、他の符号化方式の画像データ、テキストデータ、音声データ、動画データなど）を含むフレームであってもよい。
【０２０３】
図２４に示すように、データ受信装置３ｃは、入力Ｉ／Ｆ部１４１、受信制御部（受信モード切替処理部）１３４ｃ、受光部１３１、受信処理部１４２ｃ、データ書込部１４３、および記憶部１４４を備えている。受信処理部１４２ｃは、通信Ｉ／Ｆ部１３２ｃと受信フレーム処理部１３５ｃとを備えている。通信Ｉ／Ｆ部１３２ｃは、ＦＩＲ復調部１５２を備えている。
【０２０４】
通信Ｉ／Ｆ部１３２ｃは、ＦＩＲ復調部１５２を備えている。ＦＩＲ復調部１５２は、受光部１３１から受け取ったデータに対して、ＦＩＲモードに応じた復調処理を施し、復調したデータを受信フレーム処理部１３５ｃに送る。なお、ＳＩＲ復調部１５１および復調部セレクタ１５３を備えていない点が実施形態４と異なっている。ただし、これに限らず、実施形態４と同じ構成において、ＳＩＲ復調部１５１を用いずＦＩＲ復調部１５２のみを用いるように設定しておいてもよい。
【０２０５】
受信フレーム処理部１３５ｃは、フレーム解析部１６１ｃおよびデータフレーム処理部１６３を備えており、通信Ｉ／Ｆ部１３２ｃから送られてくるフレームの受信処理を行う。
【０２０６】
フレーム解析部１６１ｃは、通信Ｉ／Ｆ部１３２ｃから出力される受信データのフレーム解析を行い、受信したデータが接続フレームであるかデータフレームであるかを判断し、判断結果を示す信号を受信制御部１３４ｃへ送る。上記の判断は、例えば、受信したフレームがＳＮＲＭフレームフォーマットの場合には接続フレームであると判断し、ＵＩフレームフォーマットの場合にはデータフレームであると判断するようにすればよい。あるいは、フレーム中に接続フレームであるのかデータフレームであるのかを示すパラメータを埋め込んでおき、このパラメータに基づいて判断してもよい。
【０２０７】
また、フレーム解析部１６１ｃは、受信したデータが接続フレームである場合には受信処理を行わず、受信したデータがデータフレームである場合には受信データをデータフレーム処理部１６３へ出力する。データフレーム処理部１６３は実施形態４と同様の処理を行う。
【０２０８】
受信制御部（受信モード切替処理部）１３４ｃは、データ受信装置３ｃの各部の動作を制御するものである。受信制御部１３４ｃは、例えば、入力Ｉ／Ｆ部１４１が受け付けたユーザからの受信要求の内容に応じて、受信処理部１４２ｃに備えられる各部の動作を制御して受信したフレームを所定の復調方式に応じて復調させ、所定のフレームフォーマットに応じてフレームの処理を行わせる。
【０２０９】
なお、本実施形態では、上述したように、ＦＩＲモードのデータフレームのみを受信可能な設定とする。したがって、受信制御部１３４ｃは、受光部１３１、通信Ｉ／Ｆ部１３２ｃをＦＩＲモードに設定しておくとともに、フレーム解析部１６１ｃが受信したフレームをデータフレームであると判断した場合にのみデータフレーム処理部１６３による受信処理を行わせる。
【０２１０】
また、受信制御部１３４ｃは、受信フレーム処理部１３５ｃから接続フレーム受信完了の通知を受け取る前に、一番初めのデータフレームを受信した旨の通知を受け取った場合に、データ送信装置２との接続が完了したと判断し、受信処理部１４２ｃの各部をデータフレーム受信処理状態（後続のデータフレームを引き続き受信する状態）にさせる。
【０２１１】
（５−２．データ受信装置３ｃの動作）
次に、データ受信装置３ｃにおける受信処理時の動作について図２５〜図２７を参照しながら説明する。図２５は、データ受信装置３ｃにおける受信処理の流れを示すフロー図である。図２６は、ＳＩＲモード（９６００ｂｐｓ）の接続フレームを送信した後にＦＩＲモード（４Ｍｂｐｓ）のデータフレームを送信する従来のデータ送信装置とデータ受信装置３ｃとの間で通信を行う場合のタイミングチャートである。図２７は、ＳＩＲモード（９６００ｂｐｓ）の接続フレームを送信した後にＳＩＲモード（１１５．２ｋｂｐｓ）のデータフレームを送信する従来のデータ送信装置とデータ受信装置３ｃとの間で通信を行う場合のタイミングチャートである。
【０２１２】
まず、受信制御部１３４ｃは、初期状態（デフォルト）では受光部１３１、通信Ｉ／Ｆ部１３２ｃをＦＩＲモード（４Ｍｂｐｓ）に設定して受信待ち状態にさせる（Ｓ５１）。
【０２１３】
そして、受信制御部１３４ｃは、データフレームを受信したか否かを判断し（Ｓ５２）、受信していない場合にはＦＩＲモード（４Ｍｂｐｓ）に設定したまま受信待ち状態を継続し、受信した場合にはＳ５３の処理に移行する。
【０２１４】
なお、データ送信装置２から送信されるＦＩＲモードのデータフレームを受光部１３１で受信した場合、受信したデータフレームは通信Ｉ／Ｆ部１３２ｃのＦＩＲ復調部１５２を介して受信フレーム処理部１３５ｃに送られる。受信フレーム処理部１３５ｃに送られたフレームはフレーム解析部１６１ｃで解析されてデータフレームであることが認識される。その結果、フレーム解析部１６１ｃから受信制御部１３４ｃにデータフレームを受信した旨の通知が送信されるとともに、受信したデータフレームはデータフレーム処理部１６３に送られて解析され、メモリ（図示せず）に順次記憶される。受信制御部１３４ｃは、フレーム解析部１６１ｃから送られる上記の通知に基づいてデータフレームを受信したか否かを判断する。
【０２１５】
Ｓ５２においてデータフレームを受信したと判断した場合、受信制御部１３４ｃは、その後に続く一連のデータフレームの受信を継続させる（Ｓ５３）。つまり、一連のデータフレームをデータフレーム処理部１６３に順次送って解析させ、メモリ（図示せず）に順次記憶される。
【０２１６】
なお、上述したように、データ受信装置３ｃは、初期状態（デフォルト）では受光部１３１、通信Ｉ／Ｆ部１３２ｃをＦＩＲ（４Ｍｂｐｓ）モードに設定しているので、図２６に示すように、接続フレームを受信していない状態であっても、ＦＩＲ（４Ｍｂｐｓ）モードで送信されたデータフレームについては受信可能であり、その後に続くＦＩＲ（４Ｍｂｐｓ）モードのデータフレームについても受信することができる。つまり、データ受信装置３ｃでは、接続フレームの受信の有無にかかわらず、データフレームを受信した場合には、データ送信装置２との接続処理が完了したものとみなし、その後に続く一連のデータフレームの受信処理を行う。したがって、データ受信装置３ｃでは、接続フレームとしてＳＩＲモードの接続フレームを送信した後にＦＩＲ（４Ｍｂｐｓ）モードのデータフレームを送信する従来のデータ送信装置から送信されたデータフレームを受信することができる。ただし、図２７に示したように、データフレームがＦＩＲ（４Ｍｂｐｓ）モード以外で送信された場合にはデータフレームを受信できない。
【０２１７】
その後、受信制御部１３４ｃは、最後のデータフレームを受信したか否かを判断する（Ｓ５４）。そして、最後のデータフレームを受信していないと判断した場合には、引き続きＳ５３の処理を継続する。一方、最後のデータフレームを受信したと判断した場合には、Ｓ５５の処理に移行する。
【０２１８】
Ｓ５４において最後のデータフレームを受信したと判断した場合、受信制御部１３４ｃは、データフレーム処理部１６３を制御し、メモリに蓄積しておいたデータフレームをＪＰＥＧデータとして組み立てさせ（Ｓ５５）、データ書込部１４３に出力させる。その後、受信制御部１３４ｃは、データ書込部１４３を制御して上記のＪＰＥＧデータを記憶部１４４に記憶させ（Ｓ５６）、処理を終了する。
【０２１９】
以上のように、データ受信装置３ｃは、デフォルト（初期状態）においてＦＩＲ（４ｂｐｓ）モードで送信されたデータフレームを受信可能な状態で受信待機する。そして、ＦＩＲモードのデータフレームを受信した場合には、このデータフレームに続いて送信される一連のデータフレームの受信処理を継続する。
【０２２０】
これにより、例えば、赤外線ノイズが多発してＳＩＲモード（低速度通信モード）で送信されたフレームの受信が困難な環境であっても、ＦＩＲ（４Ｍｂｐｓ）モードで送信されるデータフレームを受信することができ、ＩｒＳＳを用いた赤外線通信でのデータ受信の信頼性を向上させることができる。また、ＳＩＲ復調部１５１、復調部セレクタ１５３、接続フレーム処理部１６２を必ずしも備える必要がないので、実施形態４におけるデータ受信装置３ｂよりも実装が容易であり、また回路規模を小さくすることできる。また、従来の技術では、通信の信頼性を保つために、データ受信装置における通信媒体に影響を及ぼすノイズ（例えば赤外線ノイズ）を生じやすい部材に対して、ノイズフィルタ（例えばガラス製赤外線ノイズフィルタ）を取り付けるなどの対策が必要であり、製造コストの増加を招いていたが、本実施形態の構成によれば、これらの対策を施さなくても通信の信頼性を向上させることができるので、データ受信装置の製造コストを低減できる。
【０２２１】
なお、ＩｒＳＳの規格ではビットレートとしては２４００ｂｐｓ、９６００ｂｐｓ、１９２００ｂｐｓ、３８４００ｂｐｓ、５７６００ｂｐｓ、１１５２００ｂｐｓ（以上ＳＩＲ）、０．５７６Ｍｂｐｓ、１．１５２Ｍｂｐｓ（以上ＭＩＲ）、４Ｍｂｐｓ（ＦＩＲ）、１６Ｍｂｐｓ（ＶＦＩＲ）があるが、市場に流通しているＩｒＳＳ対応の従来のデータ送信装置では、ＵＩフレームのビットレートとして４ＭｂｐｓのＦＩＲを使用している。このため、ＦＩＲ（４Ｍｂｐｓ）モードで受信待ちを行うように設定しておくことにより、ＳＮＲＭフレーム（接続フレーム）が受信できなかった場合であってもデータフレームを正常に受信できる。
【０２２２】
ただし、デフォルト（初期状態）でデータフレームを受信可能にしておくモードのビットレートは４Ｍｂｐｓに限るものではなく、想定されるデータ送信装置の送信ビットレート等を考慮して適宜決定すればよい。これにより、想定される上記データ送信装置との通信の信頼性を向上させることができる。なお、デフォルトで受信可能なビットレートを４Ｍｂｐｓ以上にしておくことにより、赤外線ノイズ等の影響を受けにくいので通信の信頼性をより向上させることができる。
【０２２３】
また、データフレーム伝送に用いる媒体は赤外線に限定されるものではない。例えば、赤外線に代えて、可視光、ＩＥＥＥ１３９４、ＵＳＢ、電力線搬送、ケーブルＴＶ回線、電話線、ＡＤＳＬ回線等の有線、あるいは、Ｂｌｕｅｔｏｏｔｈ（登録商標）、８０２．１１無線、ＨＤＲ、携帯電話網、衛星回線、地上波デジタル網等の無線などを伝送媒体として用いる構成であってもよい。
【０２２４】
また、本実施形態では、ＪＰＥＧデータを記憶部１４４に記憶させるものとしたが、これに限るものではない。例えば、実施形態４と同様、受信データに基づく画像を画像表示部（図示せず）に表示させてもよく、記録紙等の記録媒体上に形成してもよく、音声出力手段を介して音声出力するようにしてもよい。
【０２２５】
〔実施形態６〕
本発明のさらに他の実施形態について説明する。なお、説明の便宜上、上記実施形態に示した各部材と同様の機能を有する部材については上記実施形態と同じ符号を付し、その説明を省略する。
【０２２６】
本実施形態では、データ受信装置に受光部および通信Ｉ／Ｆ部を複数組設け、これら各組の受光部および通信Ｉ／Ｆ部を、デフォルト（初期状態）において変調方式及び通信速度のうちの少なくとも一方がそれぞれ異なるフレームを受信可能な状態で受信待機させる。
【０２２７】
（６−１．データ受信装置３ｄの構成）
図２８は、本実施形態にかかるデータ受信装置３ｄの構成を示すブロック図である。このデータ受信装置３ｄは、実施形態１〜５のいずれかのデータ送受信システム１においてデータ受信装置３，３ｂ，３ｃに代えて用いられるものである。また、このデータ受信装置３ｄは、ＳＩＲモードの接続フレームを送信した後にＦＩＲモードのデータフレームを送信する従来のデータ送信装置との通信を行うこともできる。
【０２２８】
なお、本実施形態では、ＩｒＳＳを用いる赤外線通信によって、カメラ付き携帯電話（データ送信装置２）に保存されている画像データを液晶テレビ（データ受信装置３ｄ）に送信するデータ送受信システム１を例に挙げて説明を行う。ただし、本発明の用途はこれに限定されるものではない。
【０２２９】
また、本実施形態では、データ受信装置３ｄがデータフレームとしてＪＰＥＧデータ（画像データ）のフレームを受信する場合の例について説明する。ただし、データ受信装置３ｄが受信するデータフレームはこれに限らず、他のコンテンツデータ（例えば、他の符号化方式の画像データ、テキストデータ、音声データ、動画データなど）を含むフレームであってもよい。
【０２３０】
図２８に示すように、データ受信装置３ｄは、入力Ｉ／Ｆ部１４１、受信制御部（受信モード切替処理部）１３４ｄ、受光部１３１ｄ，１３１ｅ、受信処理部１４２ｄ、データ書込部１４３、および記憶部１４４を備えている。受信処理部１４２ｄは、通信Ｉ／Ｆ部１３２ｄ，１３２ｅと受信フレーム処理部１３５ｄとを備えている。通信Ｉ／Ｆ部１３２ｄは、ＳＩＲ復調部１５１ｄ、ＦＩＲ復調部１５２ｄ、および復調部セレクタ１５３ｄを備えており、通信Ｉ／Ｆ部１３２ｅは、ＳＩＲ復調部１５１ｅ、ＦＩＲ復調部１５２ｅ、および復調部セレクタ１５３ｅを備えている。
【０２３１】
受光部１３１ｄ，１３１ｅは、実施形態１〜５における受光部１３１と同様のものである。
【０２３２】
通信Ｉ／Ｆ部１３２ｄは、ＳＩＲ復調部１５１ｄ、ＦＩＲ復調部１５２ｄ、および復調部セレクタ１５３ｄを備えている。ＳＩＲ復調部１５１ｄは、受光部１３１ｄから受け取ったデータに対して、ＳＩＲモードに応じた復調処理を施し、復調したデータを復調部セレクタ１５３ｄに送る。ＦＩＲ復調部１５２ｄは、受光部１３１ｄから受け取ったデータに対して、ＦＩＲモードに応じた復調処理を施し、復調したデータを復調部セレクタ１５３ｄに送る。復調部セレクタ１５３ｄは、受信制御部１３４ｄからの指示に応じて、ＳＩＲ復調部１５１ｄからの出力およびＦＩＲ復調部１５２ｄからの出力のいずれかを受信フレーム処理部１３５ｄへ出力する。
【０２３３】
通信Ｉ／Ｆ部１３２ｅは、ＳＩＲ復調部１５１ｅ、ＦＩＲ復調部１５２ｅ、および復調部セレクタ１５３ｅを備えている。ＳＩＲ復調部１５１ｅは、受光部１３１ｅから受け取ったデータに対して、ＳＩＲモードに応じた復調処理を施し、復調したデータを復調部セレクタ１５３ｅに送る。ＦＩＲ復調部１５２ｅは、受光部１３１ｅから受け取ったデータに対して、ＦＩＲモードに応じた復調処理を施し、復調したデータを復調部セレクタ１５３ｅに送る。復調部セレクタ１５３ｅは、受信制御部１３４ｄからの指示に応じて、ＳＩＲ復調部１５１ｅからの出力およびＦＩＲ復調部１５２ｅからの出力のいずれかを受信フレーム処理部１３５ｅへ出力する。
【０２３４】
受信フレーム処理部１３５ｄは、フレーム解析部１６１ｄ、接続フレーム処理部１６２、およびデータフレーム処理部１６３を備えている。
【０２３５】
フレーム解析部１６１ｄは、復調部セレクタ１５３ｄ，１５３ｅから出力される受信データのフレーム解析を行い、受信したフレームが接続フレームであるかデータフレームであるかを判断し、判断結果を示す信号と受信したフレームがＳＩＲモードのものであるかＦＩＲモードのものであるかを示す信号を受信制御部１３４ｄへ送る。上記の判断は、例えば、受信したフレームがＳＮＲＭフレームフォーマットの場合には接続フレームであると判断し、ＵＩフレームフォーマットの場合にはデータフレームであると判断するようにすればよい。あるいは、フレーム中に接続フレームであるのかデータフレームであるのかを示すパラメータを埋め込んでおき、このパラメータに基づいて判断してもよい。
【０２３６】
また、フレーム解析部１６１ｄは、受信したデータが接続フレームである場合には受信データを接続フレーム処理部１６２に出力し、受信したデータがデータフレームである場合には受信データをデータフレーム処理部１６３へ出力する。
【０２３７】
受信制御部（受信モード切替処理部）１３４ｄは、データ受信装置３ｄの各部の動作を制御するものである。受信制御部１３４ｄは、例えば、入力Ｉ／Ｆ部１４１が受け付けたユーザからの受信要求の内容に応じて、受信処理部１４２ｄに備えられる各部の動作を制御して受信したフレームを所定の復調方式に応じて復調させ、所定のフレームフォーマットに応じてフレームの処理を行わせる。
【０２３８】
また、受信制御部１３４ｄは、受信フレーム処理部１３５ｄから接続フレームに示された後続のデータフレームの伝送条件（ビットレート等）に関する情報を取得し、この情報に応じてモード切り替え指示信号を生成し、受光部１３１ｄ，１３１ｅおよび通信Ｉ／Ｆ部１３２ｄ，１３１ｅに出力する。例えば、初期状態（デフォルト）では、受光部１３１ｄおよび通信Ｉ／Ｆ部１３２ｄをＳＩＲモードに設定しておき、受光部１３１ｅおよび通信Ｉ／Ｆ部１３２ｅをＦＩＲモードに設定しておく。そして、受信フレーム処理部１３５ｄから接続フレームを受信した旨、および当該接続フレームに示された後続のデータフレームの伝送条件に関する情報の通知を受け取った場合には、この情報に応じてモード切り替え指示信号を生成して受光部１３１ｄおよび通信Ｉ／Ｆ部１３２ｄ、および／または、受光部１３１ｅおよび通信Ｉ／Ｆ部１３２ｅに出力するとともに、データ送信装置２との接続が完了したと判断して受信処理部１４２ｄの各部をデータフレームの受信待ち状態にさせる。
【０２３９】
また、受信制御部１３４ｄは、受信フレーム処理部１３５ｄから接続フレーム受信完了の通知を受け取る前に、一番初めのデータフレームを受信した旨の通知を受け取った場合に、データ送信装置２との接続が完了したと判断し、受信処理部１４２ｄの各部をデータフレーム受信処理状態（後続のデータフレームを引き続き受信する状態）にさせる。
【０２４０】
（６−２．データ受信装置３ｄの動作）
次に、データ受信装置３ｄにおける受信処理時の動作について図２９〜図３２を参照しながら説明する。図２９は、データ受信装置３ｄにおける受信処理の流れを示すフロー図である。図３０は、データ送信装置２、すなわちＳＩＲモードの接続フレームとＦＩＲモードの接続フレームとを送信した後にＦＩＲモードのデータフレームを送信するデータ送信装置とデータ受信装置３ｄとの間で通信を行う場合のタイミングチャートである。図３１および図３２は、ＳＩＲモードの接続フレームを送信した後にＦＩＲモードのデータフレームを送信する従来のデータ送信装置とデータ受信装置３ｄとの間で通信を行う場合のタイミングチャートであり、図３１は接続フレームを正常に受信可能な場合、図３２は接続フレームの受信が困難な場合を示している。
【０２４１】
まず、受信制御部１３４ｄは、初期状態（デフォルト）において、受光部１３１ｄおよび通信Ｉ／Ｆ部１３２ｄをＳＩＲモードに設定して受信待ち状態にさせ、受光部１３１ｅおよび通信Ｉ／Ｆ部１３２ｅをＦＩＲモードに設定して受信待ち状態にさせる（Ｓ６１）。
【０２４２】
そして、受信制御部１３４ｄは、ＦＩＲモードの接続フレームを受信したか否か、すなわち受信フレーム処理部１３５ｄからＦＩＲモードの接続フレームの受信通知を受け取ったか否かを監視する（Ｓ６２）。
【０２４３】
なお、受信待ち状態では、受光部１３１ｅおよび通信Ｉ／Ｆ部１３２ｅはＦＩＲモードに設定されている。また、図９で説明したように、データ送信装置２では、ＦＩＲモードの接続フレームを送信後、ＳＩＲモードの接続フレームを送信する。そして、これら両モードの接続フレームを送信した後にＦＩＲモードのデータフレームを送信する。このため、図３０に示すように、受信待ち状態においてＦＩＲモードで送信された接続フレームを正常に受信できる。これにより、赤外線ノイズの影響を受けにくい変調方式（ここでは、ＦＩＲモード）の接続フレームが示す伝送条件に従って、データフレームの受信を行うことができ、データフレームを適切に受信できる（データ送信装置２とデータ受信装置３ｄとを適切に接続できる）。
【０２４４】
ここで、ＦＩＲモードの接続フレームを正常に受信できた場合、その後に送信されるＳＩＲモードの接続フレームについては無視するように設定しておいてもよい。これにより、赤外線ノイズの影響を受けにくい変調方式の接続フレームに基づいてデータフレームの受信を行うことができ、データフレームを適切に受信できる（データ送信装置２とデータ受信装置３ｄとを適切に接続できる。）。
【０２４５】
また、ＳＩＲモードの接続フレームとＦＩＲモードの接続フレームとを共に受信できた場合、あるいはＳＩＲモードの接続フレームについては正常に受信できなかったもののＦＩＲモードの接続フレームを受信できた場合には、ＦＩＲモードの接続フレームに基づいてデータフレームの受信を行うようにすればよい。
【０２４６】
また、データ送信装置がＳＩＲモードの接続フレームを送信した後にＦＩＲモードの接続フレームを送信する構成である場合であって、ＳＩＲモードの接続モードを正常に受信できた場合には、ＳＩＲモードの接続フレームに基づいてデータフレームの受信を行い、ＦＩＲモードの接続フレームについては無視するようにしてもよい。
【０２４７】
そして、Ｓ６２においてＦＩＲモードの接続フレームを受信したと判断した場合、受信制御部１３４ｄは、Ｓ６４の処理に移行する。
【０２４８】
一方、ＦＩＲモードの接続フレームを受信していないと判断した場合、受信制御部１３４ｄは、ＳＩＲモードの接続フレームを受信したか否か、すなわち受信フレーム処理部１３５ｄからＳＩＲモードの接続フレームの受信通知を受け取ったか否かを監視する（Ｓ６３）。
【０２４９】
なお、受信待ち状態では、受光部１３１ｄおよび通信Ｉ／Ｆ部１３２ｄはＳＩＲモードに設定されている。このため、図３１に示すように、赤外線ノイズが少ない通信環境の場合、ＳＩＲモードで送信された接続フレームを正常に受信できる。
【０２５０】
そして、受信制御部１３４ｄは、Ｓ６３においてＳＩＲモードの接続フレームを受信したと判断した場合にはＳ６４の処理に移行し、ＳＩＲモードの接続フレームを受信していないと判断した場合にはＳ６７の処理に移行する。
【０２５１】
ＦＩＲモードの接続フレームあるいはＳＩＲモードの接続フレームを受信した場合、データ受信装置３ｄの各部を接続フレームに示された伝送条件に応じた通信モードに設定してデータフレームの受信待ち状態にする（Ｓ６４）。
【０２５２】
例えば、ＦＩＲモードの接続フレームを受信した場合、データフレームの伝送条件がＦＩＲモードである場合には受光部１３１ｅおよびＦＩＲ復調部１５２ｅを用いて上記伝送条件に応じたデータフレームを受信するように設定し、データフレームの伝送条件がＳＩＲモードである場合には受光部１３１ｅおよびＳＩＲ復調部１５１ｅを用いて上記伝送条件に応じたデータフレームを受信するように設定する。また、ＳＩＲモードの接続フレームを受信した場合、データフレームの伝送条件がＦＩＲモードである場合には受光部１３１ｄおよびＦＩＲ復調部１５２ｄを用いて上記伝送条件に応じたデータフレームを受信するように設定し、データフレームの伝送条件がＳＩＲモードである場合には受光部１３１ｄおよびＳＩＲ復調部１５１ｄを用いて上記伝送条件に応じたデータフレームを受信するように設定する。
【０２５３】
ただし、これに限らず、接続フレームがＳＩＲモードであるかＦＩＲモードであるかにかかわらず、データフレームの伝送条件がＦＩＲモードである場合には受光部１３１ｅおよびＦＩＲ復調部１５２ｅを用いて上記伝送条件に応じたデータフレームを受信するように設定し、データフレームの伝送条件がＳＩＲモードである場合には受光部１３１ｄおよびＳＩＲ復調部１５１ｄを用いて上記伝送条件に応じたデータフレームを受信するように設定してもよい。この場合には、ＦＩＲ復調部１５２ｄ、復調部セレクタ１５３ｄ、ＳＩＲ復調部１５１ｅ、復調部セレクタ１５３ｅを省略してもよい。
【０２５４】
その後、受信制御部１３４ｄは、図３０および図３１に示すように、データ送信装置から接続フレームに続いて送信されるデータフレームを受光部１３１ｄまたは１３１ｅで順次受信し（Ｓ６５）、通信Ｉ／Ｆ部１３２ｄまたは１３２ｅを介して受信フレーム処理部１３５ｄに送って蓄積していく。
【０２５５】
その後、受信制御部１３４ｄは、データフレームを最後まで受信できたか否かを判断する（Ｓ６６）。最後のデータフレームであるか否かは、例えば、ＤＩＳＣフレームを受信したか否かによって判断することができる。そして、最後まで受信できていない場合にはＳ６４以降の処理を継続し、最後まで受信できた場合にはＳ７０の処理へ移行する。
【０２５６】
一方、Ｓ６３でＳＩＲモードの接続データを受信していないと判断した場合、受信制御部１３４ｄは、データフレームを受信したか否かを判断する（Ｓ６７）。
【０２５７】
そして、Ｓ６７においてデータフレームを受信していないと判断した場合、受信制御部１３４ｄは、Ｓ６１以降の処理を継続する。
【０２５８】
一方、Ｓ６７においてデータフレームを受信したと判断した場合、受信制御部１３４ｄは、その後に続く一連のデータフレームの受信を継続させる（Ｓ６８）。
【０２５９】
なお、上述したように、データ受信装置３ｄは、初期状態（デフォルト）では受光部１３１ｅおよび通信Ｉ／Ｆ部１３２ｅをＦＩＲモードに設定しているので、図３２に示すように、赤外線ノイズが多い通信環境である等の理由により接続フレームを正常に受信できなかった場合であっても、ＦＩＲモードで送信されたデータフレームについては正常に受信することができる。つまり、データ受信装置３ｄでは、接続フレームを受信する前にデータフレームを受信した場合には、データ送信装置２との接続処理が完了したものとみなし、その後に続く一連のデータフレームの受信処理を行うことができる。
【０２６０】
その後、受信制御部１３４ｄは、最後のデータフレームを受信したか否かを判断する（Ｓ６９）。そして、最後のデータフレームを受信していないと判断した場合には、引き続きＳ６８の処理を継続する。一方、最後のデータフレームを受信したと判断した場合には、Ｓ７０の処理に移行する。
【０２６１】
Ｓ６６あるいはＳ６９において最後のデータフレームを受信したと判断した場合、受信制御部１３４ｄは、データフレーム処理部１６３を制御し、メモリに蓄積しておいたデータフレームをＪＰＥＧデータとして組み立てさせ（Ｓ７０）、データ書込部１４３に出力させる。その後、受信制御部１３４ｄは、データ書込部１４３を制御して上記のＪＰＥＧデータを記憶部１４４に記憶させ（Ｓ７１）、処理を終了する。
【０２６２】
以上のように、データ受信装置３ｄは、デフォルト（初期状態）において、受光部１３１ｄおよび通信Ｉ／Ｆ部１３２ｄについてはＳＩＲモードのフレームを受信可能な状態で受信待機させ、受光部１３１ｅおよび通信Ｉ／Ｆ部１３２ｅについてはＦＩＲモードのフレームを受信可能な状態で受信待機させる。そして、ＳＩＲモードおよび／またはＦＩＲモードの接続フレームを受信した場合には、受信した接続モードに示された伝送条件に応じて、接続フレームに続いて送信されるデータフレームの受信処理を行う。また、ＦＩＲモードのデータフレームを受信した場合には、このデータフレームに続いて送信される一連のデータフレームの受信処理を継続する。
【０２６３】
これにより、例えば、赤外線ノイズが多発してＳＩＲモードで送信されたフレームの受信が困難な環境であっても、ＦＩＲモードで送信されるフレーム（接続フレームまたはデータフレーム）を受信し、受信結果に応じてその後のデータフレームを受信することができ、データ受信の信頼性を向上させることができる。また、接続フレームの受信の有無にかかわらず、所定のビットレートで送信されたデータフレームを受信できるので、データ受信をより確実に行うことが可能になる。
【０２６４】
また、赤外線ノイズの影響が少ない通信環境においてはＳＩＲモードの接続フレームを受信できるので、赤外線ノイズが多発しない環境であれば、接続フレームとしてＳＩＲの接続フレームのみを送信するデータ送信装置との間で、ＩｒＳＳの規格で規定する通りのデータ受信動作を行うことができる。したがって、ＩｒＳＳの規格に準拠しながらエラー耐性のより高いデータ受信装置を実現することができる。
【０２６５】
なお、データフレーム伝送に用いる媒体は赤外線に限定されるものではない。例えば、赤外線に代えて、可視光、ＩＥＥＥ１３９４、ＵＳＢ、電力線搬送、ケーブルＴＶ回線、電話線、ＡＤＳＬ回線等の有線、あるいは、Ｂｌｕｅｔｏｏｔｈ（登録商標）、８０２．１１無線、ＨＤＲ、携帯電話網、衛星回線、地上波デジタル網等の無線などを伝送媒体として用いる構成であってもよい。
【０２６６】
また、本実施形態では、ＪＰＥＧデータを記憶部１４４に記憶させるものとしたが、これに限るものではない。例えば、実施形態４，５と同様、受信データに基づく画像を画像表示部（図示せず）に表示させてもよく、記録紙等の記録媒体上に形成してもよく、音声出力手段を介して音声出力するようにしてもよい。
【０２６７】
また、上記各実施形態において、データ受信装置３ｂ，３ｃ，３ｄの各部（受信制御部１３４ｂ，１３４ｃ，１３４ｄ、受信処理部１４２ｂ、１４２ｃ，１４２ｄ、受光部１３１，１３１ｄ，１３１ｅの一部等）は、ＣＰＵ等のプロセッサを用いてソフトウェアによって実現される。すなわち、データ受信装置３ｂ，３ｃ，３ｄの各部は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアであるデータ受信装置３ｂ，３ｃ，３ｄの制御プログラムのプログラムコード（実行形式プログラム、中間コードプログラム、ソースプログラム）をコンピュータで読み取り可能に記録した記録媒体を、データ受信装置３ｂ，３ｃ，３ｄに供給し、そのコンピュータ（またはＣＰＵやＭＰＵ）が記録媒体に記録されているプログラムコードを読み出し実行することによって達成される。
【０２６８】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０２６９】
また、データ受信装置３ｂ，３ｃ，３ｄを通信ネットワークと接続可能に構成し、通信ネットワークを介して上記プログラムコードを供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０２７０】
また、データ受信装置３ｂ，３ｃ，３ｄの各部の各部は、ソフトウェアを用いて実現されるものに限らず、ハードウェアロジックによって構成されるものであってもよく、処理の一部を行うハードウェアと当該ハードウェアの制御や残余の処理を行うソフトウェアを実行する演算手段とを組み合わせたものであってもよい。
【０２７１】
なお、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０２７２】
本発明は、データフレームの伝送に先立ってデータフレームの伝送条件を記述した接続フレームを送信するデータ送信装置、上記データ送信装置から送信されたデータを受信するデータ受信装置、および上記データ送信装置と上記データ受信装置とを備えたデータ送受信システムに適用できる。
【図面の簡単な説明】
【０２７３】
【図１】本発明の一実施形態にかかるデータ送信装置の概略構成を示すブロック図である。
【図２】本発明の一実施形態にかかるデータ送受信システムの概略構成を示す説明図である。
【図３】ＳＮＲＭフレームフォーマットの接続フレームの一例を示す説明図である。
【図４】ＵＩフレームフォーマットのデータフレームの一例を示す説明図である。
【図５】ＦＩＲモードの物理層フレームフォーマットの一例を示す説明図である。
【図６】ＦＩＲ変調方式の信号形式を示す説明図である。
【図７】本発明の一実施形態にかかるデータ送受信システムに備えられるデータ受信装置の一例を示すブロック図である。
【図８】図１に示したデータ送信装置における処理の流れを示すフロー図である。
【図９】図１に示したデータ送信装置から送信されるフレームおよび各フレームの送信タイミングを示した説明図である。
【図１０】ＶＦＩＲ変調方式の信号形式を示す説明図である。
【図１１】本発明の他の実施形態にかかるデータ送信装置における処理の流れを示すフロー図である。
【図１２】本発明の他の実施形態にかかるデータ送信装置から送信されるフレームおよび各フレームの送信タイミングを示した説明図である。
【図１３】本発明のさらに他の実施形態にかかるデータ送信装置の概略構成を示すブロック図である。
【図１４】図１３に示したデータ送信装置における処理の流れを示すフロー図である。
【図１５】図１３に示したデータ送信装置から送信されるフレームおよび各フレームの送信タイミングを示した説明図である。
【図１６】従来のＩｒＳＳ片方向通信における接続フレーム（ＳＮＲＭ）およびデータフレーム（ＵＩ）の送信タイミングを示すタイミングチャートである。
【図１７】ＳＩＲモードで送信される信号の信号パターンを示す説明図である。
【図１８】ＶＦＩＲモードの物理層フレームフォーマットの一例を示す説明図である。
【図１９】本発明の一実施形態にかかるデータ受信装置の概略構成を示すブロック図である。
【図２０】図１９に示したデータ受信装置における処理の流れを示すフロー図である。
【図２１】図１９に示したデータ受信装置における接続フレームおよびデータフレームの受信タイミングの一例を示す説明図である。
【図２２】図１９に示したデータ受信装置における接続フレームおよびデータフレームの受信タイミングの一例を示す説明図である。
【図２３】従来のデータ受信装置における接続フレームおよびデータフレームの受信タイミングの一例を示す説明図である。
【図２４】本発明の一実施形態にかかるデータ受信装置の概略構成を示すブロック図である。
【図２５】図２４に示したデータ受信装置における処理の流れを示すフロー図である。
【図２６】図２４に示したデータ受信装置における接続フレームおよびデータフレームの受信タイミングの一例を示す説明図である。
【図２７】図２４に示したデータ受信装置における接続フレームおよびデータフレームの受信タイミングの一例を示す説明図である。
【図２８】本発明の一実施形態にかかるデータ受信装置の概略構成を示すブロック図である。
【図２９】図２８に示したデータ受信装置における処理の流れを示すフロー図である。
【図３０】図２８に示したデータ受信装置における接続フレームおよびデータフレームの受信タイミングの一例を示す説明図である。
【図３１】図２８に示したデータ受信装置における接続フレームおよびデータフレームの受信タイミングの一例を示す説明図である。
【図３２】図２８に示したデータ受信装置における接続フレームおよびデータフレームの受信タイミングの一例を示す説明図である。
【符号の説明】
【０２７４】
１  データ送受信システム
２，２ｂ  データ送信装置
３，３ｂ，３ｃ，３ｄ  データ受信装置
２０  送信処理部
２１  入力Ｉ／Ｆ部
２２  送信制御部
２３  記憶部
２４  データ読出部
２５  送信フレーム処理部
２５ａ  接続フレーム生成部
２５ｂ  データフレーム生成部
２６  通信Ｉ／Ｆ部
２７  発光部
２８  変調部セレクタ
２９  ＳＩＲ変調部
３０  ＦＩＲ変調部
３１  マルチプレクサ
３２  ＶＦＩＲ変調部
１３１，１３１ｄ，１３１ｅ  受光部（受信部）
１３２，１３２ｂ，１３２ｃ，１３２ｄ，１３２ｅ  通信Ｉ／Ｆ部
１３４，１３４ｂ，１３４ｃ，１３４ｄ  受信モード切替処理部（受信制御部）
１３５，１３５ｂ，１３５ｃ，１３５ｄ  受信フレーム処理部
１４１  入力Ｉ／Ｆ部
１４２ｂ，１４２ｃ，１４２ｄ  受信処理部
１４３  データ書込部
１４４  記憶部
１５１，１５１ｄ，１５１ｅ  ＳＩＲ復調部（復調部）
１５２，１５２ｄ，１５２ｅ  ＦＩｒ復調部（復調部）
１５３，１５３ｄ，１５３ｅ  復調部セレクタ
１６１ｂ，１６１ｃ，１６１ｄ，１６１ｅ  フレーム解析部
１６２  接続フレーム処理部
１６３  データフレーム処理部
【図１】
2008301472.tif 000003
【図２】
2008301472.tif 000004
【図３】
2008301472.tif 000005
【図４】
2008301472.tif 000006
【図５】
2008301472.tif 000007
【図６】
2008301472.tif 000008
【図７】
2008301472.tif 000009
【図８】
2008301472.tif 000010
【図９】
2008301472.tif 000011
【図１０】
2008301472.tif 000012
【図１１】
2008301472.tif 000013
【図１２】
2008301472.tif 000014
【図１３】
2008301472.tif 000015
【図１４】
2008301472.tif 000016
【図１５】
2008301472.tif 000017
【図１６】
2008301472.tif 000018
【図１７】
2008301472.tif 000019
【図１８】
2008301472.tif 000020
【図１９】
2008301472.tif 000021
【図２０】
2008301472.tif 000022
【図２１】
2008301472.tif 000023
【図２２】
2008301472.tif 000024
【図２３】
2008301472.tif 000025
【図２４】
2008301472.tif 000026
【図２５】
2008301472.tif 000027
【図２６】
2008301472.tif 000028
【図２７】
2008301472.tif 000029
【図２８】
2008301472.tif 000030
【図２９】
2008301472.tif 000031
【図３０】
2008301472.tif 000032
【図３１】
2008301472.tif 000033
【図３２】
2008301472.tif 000034